(57)【特許請求の範囲】
【請求項１】
少なくとも音声データを含む第１のデータを取得することが可能な第１の装置と、前記第１の装置と情報の授受が可能な第２の装置とで構成される情報処理システムにおいて、
前記第１の装置は、
前記第１のデータを取得するデータ取得手段と、
前記第１のデータを保持するメモリへの、前記データ取得手段により取得された前記第１のデータの記録を制御する第１の記録制御手段と、
前記データ取得手段により取得された前記第１のデータを出力する出力手段と、
操作入力を取得する操作入力取得手段と、
前記出力手段によって前記第１のデータが出力されるとともに前記操作入力手段により前記操作入力が取得されたときに、前記第１のデータのうち、前記出力手段により出力されていた箇所を示すブックマーク情報を、前記第１のデータに対応付けて設定する設定手段と、
前記第１の記録制御手段により前記メモリに記録された前記第１のデータ、および、前記設定手段により前記第１のデータに対応付けられて設定された前記ブックマーク情報の、前記第２の装置への供給を制御する第１の供給制御手段と、
前記第２の装置からの指令に応じて、前記メモリに記録された前記第１のデータを削除する削除手段と
を備え、
前記第２の装置は、
前記第１の供給制御手段により供給が制御された前記第１のデータおよび前記ブックマーク情報の取得を制御する第１の取得制御手段と、
前記第１の取得制御手段により取得が制御された前記第１のデータを解析して、楽曲部分を抽出し、前記第１のデータの楽曲部分のうち、前記ブックマーク情報が対応付けられている部分を第２のデータとして抽出する解析手段と、
前記解析手段により解析されて抽出された前記第２のデータに対応するメタデータの取得を制御する第２の取得制御手段と、
前記解析手段により抽出された前記第２のデータと、前記第２の取得制御手段により取得が制御された前記メタデータとを対応付け、対応付けられた前記第２のデータと前記メタデータとの記録を制御する第２の記録制御手段と、
前記解析手段により抽出された前記第２のデータ、および、前記第２の取得手段により取得が制御された前記メタデータの、前記第１の装置への供給を制御する第２の供給制御手段と、
前記第２のデータ、および、前記メタデータが、前記第１の装置に供給されたことに対応して、前記メモリに記録されている前記第１のデータの削除を前記第１の装置に対して指令する指令手段と
を備える情報処理システム。
【請求項２】
前記第２の装置は、前記解析手段により抽出された前記第２のデータ、および、前記第２の取得手段により取得が制御された前記メタデータとのリンク情報を生成するリンク情報生成手段をさらに備える
請求項１に記載の情報処理システム。
【請求項３】
前記第２の供給制御手段は、前記リンク情報生成手段により生成された前記リンク情報の、前記第１の装置への供給も制御する
請求項２に記載の情報処理システム。
【請求項４】
前記第１の装置は、
前記第２の装置の前記第２の供給制御手段により供給が制御された、前記第２のデータ、前記メタデータ、および、前記リンク情報の取得を制御する第３の取得制御手段と、
前記第３の取得制御手段により取得が制御された前記リンク情報の、前記メモリへの記録を制御するリンク情報記録制御手段と、
前記第３の取得制御手段により取得が制御された前記第２のデータ、および、前記メタデータの、前記メモリへの記録を制御する情報記録制御手段と、
前記メモリに記録されている前記第２のデータの再生を制御する再生制御手段と
をさらに備える
請求項３に記載の情報処理システム。
【請求項５】
前記第１の記録制御手段は、
前記第１のデータを一時的に保持するバッファメモリに、前記データ取得手段により取得された前記第１のデータを一時記録させ、
前記操作入力手段により前記操作入力が取得された場合、前記バッファメモリに一時的に保持されている前記第１のデータを前記メモリに記録させるとともに、その後所定の時間、前記データ取得手段により取得された前記第１のデータを前記メモリに連続して記録させる
請求項１に記載の情報処理システム。
【請求項６】
前記ブックマーク情報は、前記メモリに記録された前記第１のデータの記録開始からの相対時刻情報である
請求項１に記載の情報処理システム。
【請求項７】
前記ブックマーク情報は、前記操作入力手段により前記操作入力が取得されたときに前記出力手段により出力された前記第１のデータの位置を示すフラグ情報である
請求項１に記載の情報処理システム。
【請求項８】
前記第２の装置の第２の取得制御手段は、前記第２のデータの一部の特徴量を含む情報を所定のサーバに供給することにより、前記第２のデータに対応するメタデータの取得を制御する
請求項１に記載の情報処理システム。
【請求項９】
前記第２の装置の第２の取得制御手段は、前記第２のデータの一部を含む情報を所定のサーバに供給することにより、前記第２のデータに対応するメタデータの取得を制御する
請求項１に記載の情報処理システム。
【請求項１０】
前記第２の装置の第２の取得制御手段は、前記第２のデータの放送時刻情報を含む情報を所定のサーバに供給することにより、前記第２のデータに対応するメタデータの取得を制御する
請求項１に記載の情報処理システム。
【請求項１１】
前記第２の装置の第２の取得制御手段は、前記第２のデータの放送局情報を含む情報を所定のサーバに供給することにより、前記第２のデータに対応するメタデータの取得を制御する
請求項１に記載の情報処理システム。
【請求項１２】
前記第２の装置の第２の取得制御手段は、前記第２のデータの放送受信地域に関する情報を含む情報を所定のサーバに供給することにより、前記第２のデータに対応するメタデータの取得を制御する
請求項１に記載の情報処理システム。
【請求項１３】
少なくとも音声データを含む第１のデータを取得することが可能な第１の装置と、前記第１の装置と情報の授受が可能な第２の装置とで構成される情報処理システムの情報処理方法において、
前記第１の装置は、
前記第１のデータを取得し、
前記第１のデータを保持するメモリへの、取得された前記第１のデータの記録を制御し、
取得された前記第１のデータを出力し、
前記第１のデータが出力される際の操作入力を取得し、
前記操作入力が取得されたときに、前記第１のデータのうち、出力されていた箇所を示すブックマーク情報を、前記第１のデータに対応付けて設定し、
前記第１のデータ、および、前記第１のデータに対応付けられて設定された前記ブックマーク情報の、前記第２の装置への供給を制御し、
前記第２の装置からの指令に応じて、前記メモリに記録された前記第１のデータを削除し、
前記第２の装置は、
前記第１のデータおよび前記ブックマーク情報の取得を制御し、
取得された前記第１のデータを解析して、楽曲部分を抽出し、前記第１のデータの楽曲部分のうち、前記ブックマーク情報が対応付けられている部分を第２のデータとして抽出し、
抽出された前記第２のデータに対応するメタデータの取得を制御し、
抽出された前記第２のデータと、取得が制御された前記メタデータとを対応付け、対応付けられた前記第２のデータと前記メタデータとの記録を制御し、
抽出された前記第２のデータ、および、取得が制御された前記メタデータの、前記第１の装置への供給を制御し、
前記第２のデータ、および、前記メタデータが、前記第１の装置に供給されたことに対応して、前記メモリに記録されている前記第１のデータの削除を前記第１の装置に対して指令する
ステップを含む情報処理方法。
【請求項１４】
少なくとも音声データを含む第１のデータを取得することが可能な第１の装置と、前記第１の装置と情報の授受が可能な第２の装置とで構成される情報処理システムの前記第１の装置を制御するコンピュータに、前記第１のデータの処理を実行させるためのプログラムであって、
前記第１のデータを取得し、
前記第１のデータを保持するメモリへの、取得された前記第１のデータの記録を制御し、
取得された前記第１のデータを出力し、
前記第１のデータが出力される際の操作入力を取得し、
前記操作入力が取得されたときに、前記第１のデータのうち、出力されていた箇所を示すブックマーク情報を、前記第１のデータに対応付けて設定し、
前記第１のデータ、および、前記第１のデータに対応付けられて設定された前記ブックマーク情報の、前記第２の装置への供給を制御し、
前記第２の装置が、供給されてくる前記第１のデータ、および、前記ブックマーク情報を用いて取得した第２のデータ、および、メタデータを前記第１の装置に供給することに対応して、前記メモリに記録されている前記第１のデータの削除を指令した場合、前記第２の装置からの指令に応じて、前記メモリに記録された前記第１のデータを削除する
ステップを含む処理をコンピュータに実行させるプログラム。
【請求項１５】
請求項１４に記載のプログラムが記録されている記録媒体。
【請求項１６】
少なくとも音声データを含む第１のデータを取得することが可能な第１の装置と、前記第１の装置と情報の授受が可能な第２の装置とで構成される情報処理システムの前記第２の装置を制御するコンピュータに、前記第１の装置から供給された前記第１のデータを解析する処理を実行させるためのプログラムであって、
前記第１の装置から供給される、前記第１のデータおよび前記第１のデータが出力される際の操作入力を受けたタイミングを示す情報であるブックマーク情報の取得を制御し、
取得された前記第１のデータを解析して、楽曲部分を抽出し、前記第１のデータの楽曲部分のうち、前記ブックマーク情報が対応付けられている部分を第２のデータとして抽出し、
抽出された前記第２のデータに対応するメタデータの取得を制御し、
抽出された前記第２のデータと、取得が制御された前記メタデータとを対応付け、対応付けられた前記第２のデータと前記メタデータとの記録を制御し、
抽出された前記第２のデータ、および、取得が制御された前記メタデータの、前記第１の装置への供給を制御し、
前記第２のデータ、および、前記メタデータが、前記第１の装置に供給されたことに対応して、前記第１の装置のメモリに記録されている前記第１のデータの削除を前記第１の装置に対して指令する
ステップを含む処理をコンピュータに実行させるプログラム。
【請求項１７】
請求項１６に記載のプログラムが記録されている記録媒体。
【請求項１８】
少なくとも音声データを含む第１のデータを取得する情報処理装置において、
前記第１のデータを取得するデータ取得手段と、
前記第１のデータを保持するメモリへの、前記データ取得手段により取得された前記第１のデータの記録を制御する記録制御手段と、
前記データ取得手段により取得された前記第１のデータを出力する出力手段と、
前記出力手段により前記第１のデータが出力される際の操作入力を取得する操作入力取得手段と、
前記操作入力手段により前記操作入力が取得されたときに、前記第１のデータのうち、前記出力手段により出力されていた箇所を示すブックマーク情報を、前記第１のデータに対応付けて設定する設定手段と、
前記記録制御手段により前記メモリに記録された前記第１のデータ、および、前記設定手段により前記第１のデータに対応付けられて設定された前記ブックマーク情報の、他の装置への供給を制御する供給制御手段と、
前記他の装置が、供給されてくる前記第１のデータ、および、前記ブックマーク情報を用いて取得した第２のデータ、および、メタデータを前記情報処理装置に供給することに対応して、前記メモリに記録されている前記第１のデータの削除を指令した場合、前記他の装置からの指令に応じて、前記メモリに記録された前記第１のデータを削除する削除手段と
を備える情報処理装置。
【請求項１９】
他の装置で取得された、少なくとも音声データを含む第１のデータを解析する情報処理装置において、
前記他の装置から、前記第１のデータ、および、前記第１のデータが出力された際に操作入力を受けたタイミングを示す情報であるブックマーク情報の取得を制御する第１の取得制御手段と、
前記第１の取得制御手段により取得された前記第１のデータを解析して、楽曲部分を抽出し、前記第１のデータの楽曲部分のうち、前記ブックマーク情報が対応付けられている部分を第２のデータとして抽出する解析手段と、
前記解析手段により抽出された前記第２のデータに対応するメタデータの取得を制御する第２の取得制御手段と、
前記解析手段により解析されて抽出された前記第２のデータと、前記第２の取得制御手段により取得が制御された前記メタデータとを対応付け、対応付けられた前記第２のデータと前記メタデータとの記録を制御する記録制御手段と、
前記解析手段により抽出された前記第２のデータ、および、前記第２の取得手段により取得が制御された前記メタデータの、前記他の装置への供給を制御する供給制御手段と、
前記第２のデータ、および、前記メタデータが、前記他の装置に供給されたことに対応して、前記他の装置のメモリに記録されている前記第１のデータの削除を前記他の装置に対して指令する指令手段と
を備える情報処理装置。
【請求項２０】
少なくとも音声データを含む第１のデータを取得する情報処理装置において、
前記第１のデータを取得するデータ取得手段と、
前記第１のデータを保持するメモリへの、前記データ取得手段により取得された前記第１のデータの記録を制御する第１の記録制御手段と、
前記データ取得手段により取得された前記第１のデータを出力する出力手段と、
前記出力手段により前記第１のデータが出力される際の操作入力を取得する操作入力取得手段と、
前記操作入力手段により前記操作入力が取得されたときに、前記第１のデータのうち、前記出力手段により出力されていた箇所を示すブックマーク情報を、前記第１のデータに対応付けて設定する設定手段と、
前記記録手段により記録された前記第１のデータを解析して、楽曲部分を抽出し、前記第１のデータの楽曲部分のうち、前記ブックマーク情報が対応付けられている部分を第２のデータとして抽出する解析手段と、
前記解析手段により解析されて抽出された前記第２のデータに対応するメタデータの取得を制御する第２の取得制御手段と、
前記解析手段により解析されて抽出された前記第２のデータと、前記第２の取得制御手段により取得が制御された前記メタデータとを対応付け、対応付けられた前記第２のデータと前記メタデータとの、前記メモリへの記録を制御する第２の記録制御手段と、
前記第２の記録制御手段により、対応付けられた前記第２のデータと前記メタデータとの、前記メモリへの記録が行われたことに対応して、前記メモリに記録された前記第１のデータを削除する削除手段と
を備える情報処理装置。
【発明の詳細な説明】
【技術分野】
【０００１】
本発明は、情報処理システム、および、情報処理方法、情報処理装置、プログラム、並びに、記録媒体に関し、特に、放送信号を受信する場合に用いて好適な、情報処理システム、および、情報処理方法、情報処理装置、プログラム、並びに、記録媒体に関する。
【背景技術】
【０００２】
従来から、コンピュータシステム上に蓄積されデータベース化されたデータを検索することは広く行われてきた。データベースシステムにおいては、ユーザにより入力されたキーワードに基づき検索処理が実行されて、検索結果がユーザに提供される。また、検索の結果ユーザに提供された情報が多数である場合、ユーザは、提供された情報に対してさらにキーワードを設定して、絞り込み検索を行うことができる。
【０００３】
例えば、たまたまラジオ放送で流れていた楽曲をユーザが気に入り、ユーザがその楽曲について情報を得たい場合、ユーザは、音楽データベースを用いて楽曲の検索を行うことができる。すなわち、ユーザは、楽曲と共に放送された、例えば、アナウンサの紹介などにより得た楽曲の曲名、アーティストなどの付随情報に基づいてキーワードを設定し、検索を行うことができる。
【０００４】
上述した音楽データベースを利用する場合、ユーザは、キーワードを的確に入力しないと希望する結果が得られない。例えば、ユーザが、楽曲の曲名、アーティストなどの付随情報の紹介を聞き逃してしまった場合、検索に用いられるキーワードを的確に入力することができないので、ユーザは、所望する情報を得ることができない。これに対して、放送されたコンテンツを、的確なキーワードが分からなくても検索できるように、例えばラジオで放送された楽曲が気に入ったとき、その楽曲が放送された放送局や場所、放送された時刻を、検索エンジンに対して検索条件として指定することにより、検索エンジンが設定された検索条件に基づきデータベースを検索し、例えば、楽曲名を検索結果として出力するとともに、その楽曲が収録されたアルバム名やそのアルバムの発売元、演奏者情報なども出力することができる技術がある（例えば、特許文献１）。
【特許文献１】特開２００１−１２５９１４号公報
【０００５】
また、ユーザが楽曲の一部を検索情報として送信し、サーバにおいて、送信された楽曲データの特徴量と、データベースに登録された楽曲データの特徴量とを比較することにより、ユーザが送信した楽曲の楽曲名などを検索結果として提供するサービスがある。
【発明の開示】
【発明が解決しようとする課題】
【０００６】
しかしながら、たまたまラジオ放送で流れていた楽曲をユーザが気に入り、放送されている楽曲などのコンテンツを録音（または、映像とともに録画）して個人で楽しむときに、録音すること、録音した楽曲の情報を得ること、および、録音したデータと取得した楽曲の情報とを関連つけて録音したデータを整理すること、の処理は、ユーザがそれぞれ個別に行わなければいけなかった。
【０００７】
本発明はこのような状況に鑑みてなされたものであり、放送されている楽曲などのコンテンツを録音（または、映像とともに録画）して、録音（または録画）データを容易に整理することができるようにするものである。
【課題を解決するための手段】
【０００８】
本発明の第１の側面の情報処理システムは、少なくとも音声データを含む第１のデータを取得することが可能な第１の装置と、前記第１の装置と情報の授受が可能な第２の装置とで構成される情報処理システムであって、前記第１の装置は、前記第１のデータを取得するデータ取得手段と、前記第１のデータを保持するメモリへの、前記データ取得手段により取得された前記第１のデータの記録を制御する第１の記録制御手段と、前記データ取得手段により取得された前記第１のデータを出力する出力手段と、操作入力を取得する操作入力取得手段と、前記出力手段によって前記第１のデータが出力されるとともに前記操作入力手段により前記操作入力が取得されたときに、前記第１のデータのうち、前記出力手段により出力されていた箇所を示すブックマーク情報を、前記第１のデータに対応付けて設定する設定手段と、前記第１の記録制御手段により前記メモリに記録された前記第１のデータ、および、前記設定手段により前記第１のデータに対応付けられて設定された前記ブックマーク情報の、前記第２の装置への供給を制御する第１の供給制御手段と、前記第２の装置からの指令に応じて、前記メモリに記録された前記第１のデータを削除する削除手段とを備え、前記第２の装置は、前記第１の供給制御手段により供給が制御された前記第１のデータおよび前記ブックマーク情報の取得を制御する第１の取得制御手段と、前記第１の取得制御手段により取得が制御された前記第１のデータを解析して、楽曲部分を抽出し、前記第１のデータの楽曲部分のうち、前記ブックマーク情報が対応付けられている部分を第２のデータとして抽出する解析手段と、前記解析手段により解析されて抽出された前記第２のデータに対応するメタデータの取得を制御する第２の取得制御手段と、前記解析手段により抽出された前記第２のデータと、前記第２の取得制御手段により取得が制御された前記メタデータとを対応付け、対応付けられた前記第２のデータと前記メタデータとの記録を制御する第２の記録制御手段と、前記解析手段により抽出された前記第２のデータ、および、前記第２の取得手段により取得が制御された前記メタデータの、前記第１の装置への供給を制御する第２の供給制御手段と、前記第２のデータ、および、前記メタデータが、前記第１の装置に供給されたことに対応して、前記メモリに記録されている前記第１のデータの削除を前記第１の装置に対して指令する指令手段とを備える。
【０００９】
前記第２の装置には、前記解析手段により抽出された前記第２のデータ、および、前記第２の取得手段により取得が制御された前記メタデータとのリンク情報を生成するリンク情報生成手段をさらに備えさせるようにすることができる。
【００１０】
前記第２の供給制御手段には、前記リンク情報生成手段により生成された前記リンク情報の、前記第１の装置への供給も制御させるようにすることができる。
【００１１】
前記第１の装置には、前記第２の装置の前記第２の供給制御手段により供給が制御された、前記第２のデータ、前記メタデータ、および、前記リンク情報の取得を制御する第３の取得制御手段と、前記第３の取得制御手段により取得が制御された前記リンク情報の、前記メモリへの記録を制御するリンク情報記録制御手段と、前記第３の取得制御手段により取得が制御された前記第２のデータ、および、前記メタデータの、前記メモリへの記録を制御する情報記録制御手段と、前記メモリに記録されている前記第２のデータの再生を制御する再生制御手段とをさらに備えさせるようにすることができる。
【００１２】
前記第１の記録制御手段には、前記第１のデータを一時的に保持するバッファメモリに、前記データ取得手段により取得された前記第１のデータを一時記録させ、前記操作入力手段により前記操作入力が取得された場合、前記バッファメモリに一時的に保持されている前記第１のデータを前記メモリに記録させるとともに、その後所定の時間、前記データ取得手段により取得された前記第１のデータを前記メモリに連続して記録させるようにすることができる。
【００１３】
前記ブックマーク情報は、前記メモリに記録された前記第１のデータの記録開始からの相対時刻情報であるものとすることができる。
【００１４】
前記ブックマーク情報は、前記操作入力手段により前記操作入力が取得されたときに前記出力手段により出力された前記第１のデータの位置を示すフラグ情報であるものとすることができる。
【００１５】
前記第２の装置の第２の取得制御手段には、前記第２のデータの一部の特徴量を含む情報を所定のサーバに供給することにより、前記第２のデータに対応するメタデータの取得を制御させるようにすることができる。
【００１６】
前記第２の装置の第２の取得制御手段には、前記第２のデータの一部を含む情報を所定のサーバに供給することにより、前記第２のデータに対応するメタデータの取得を制御させるようにすることができる。
【００１７】
前記第２の装置の第２の取得制御手段には、前記第２のデータの放送時刻情報を含む情報を所定のサーバに供給することにより、前記第２のデータに対応するメタデータの取得を制御させるようにすることができる。
【００１８】
前記第２の装置の第２の取得制御手段には、前記第２のデータの放送局情報を含む情報を所定のサーバに供給することにより、前記第２のデータに対応するメタデータの取得を制御させるようにすることができる。
【００１９】
前記第２の装置の第２の取得制御手段には、前記第２のデータの放送受信地域に関する情報を含む情報を所定のサーバに供給することにより、前記第２のデータに対応するメタデータの取得を制御させるようにすることができる。
【００２０】
本発明の第１の側面の情報処理方法は、少なくとも音声データを含む第１のデータを取得することが可能な第１の装置と、前記第１の装置と情報の授受が可能な第２の装置とで構成される情報処理システムの情報処理方法であって、前記第１の装置は、前記第１のデータを取得し、前記第１のデータを保持するメモリへの、取得された前記第１のデータの記録を制御し、取得された前記第１のデータを出力し、前記第１のデータが出力される際の操作入力を取得し、前記操作入力が取得されたときに、前記第１のデータのうち、出力されていた箇所を示すブックマーク情報を、前記第１のデータに対応付けて設定し、前記第１のデータ、および、前記第１のデータに対応付けられて設定された前記ブックマーク情報の、前記第２の装置への供給を制御し、前記第２の装置からの指令に応じて、前記メモリに記録された前記第１のデータを削除し、前記第２の装置は、前記第１のデータおよび前記ブックマーク情報の取得を制御し、取得された前記第１のデータを解析して、楽曲部分を抽出し、前記第１のデータの楽曲部分のうち、前記ブックマーク情報が対応付けられている部分を第２のデータとして抽出し、抽出された前記第２のデータに対応するメタデータの取得を制御し、抽出された前記第２のデータと、取得が制御された前記メタデータとを対応付け、対応付けられた前記第２のデータと前記メタデータとの記録を制御し、抽出された前記第２のデータ、および、取得が制御された前記メタデータの、前記第１の装置への供給を制御し、前記第２のデータ、および、前記メタデータが、前記第１の装置に供給されたことに対応して、前記メモリに記録されている前記第１のデータの削除を前記第１の装置に対して指令するステップを含む。
【００２１】
本発明の第１の側面の第１のプログラムは、少なくとも音声データを含む第１のデータを取得することが可能な第１の装置と、前記第１の装置と情報の授受が可能な第２の装置とで構成される情報処理システムの前記第１の装置を制御するコンピュータに、前記第１のデータの処理を実行させるためのプログラムであって、前記第１のデータを取得し、前記第１のデータを保持するメモリへの、取得された前記第１のデータの記録を制御し、取得された前記第１のデータを出力し、前記第１のデータが出力される際の操作入力を取得し、前記操作入力が取得されたときに、前記第１のデータのうち、出力されていた箇所を示すブックマーク情報を、前記第１のデータに対応付けて設定し、前記第１のデータ、および、前記第１のデータに対応付けられて設定された前記ブックマーク情報の、前記第２の装置への供給を制御し、前記第２の装置が、供給されてくる前記第１のデータ、および、前記ブックマーク情報を用いて取得した第２のデータ、および、メタデータを前記第１の装置に供給することに対応して、前記メモリに記録されている前記第１のデータの削除を指令した場合、前記第２の装置からの指令に応じて、前記メモリに記録された前記第１のデータを削除するステップを含む処理をコンピュータに実行させる。
【００２２】
本発明の第１の側面の第２のプログラムは、少なくとも音声データを含む第１のデータを取得することが可能な第１の装置と、前記第１の装置と情報の授受が可能な第２の装置とで構成される情報処理システムの前記第２の装置を制御するコンピュータに、前記第１の装置から供給された前記第１のデータを解析する処理を実行させるためのプログラムであって、前記第１の装置から供給される、前記第１のデータおよび前記第１のデータが出力される際の操作入力を受けたタイミングを示す情報であるブックマーク情報の取得を制御し、取得された前記第１のデータを解析して、楽曲部分を抽出し、前記第１のデータの楽曲部分のうち、前記ブックマーク情報が対応付けられている部分を第２のデータとして抽出し、抽出された前記第２のデータに対応するメタデータの取得を制御し、抽出された前記第２のデータと、取得が制御された前記メタデータとを対応付け、対応付けられた前記第２のデータと前記メタデータとの記録を制御し、抽出された前記第２のデータ、および、取得が制御された前記メタデータの、前記第１の装置への供給を制御し、前記第２のデータ、および、前記メタデータが、前記第１の装置に供給されたことに対応して、前記第１の装置のメモリに記録されている前記第１のデータの削除を前記第１の装置に対して指令するステップを含む処理をコンピュータに実行させる。
【００２３】
本発明の第１の側面においては、第１の装置で、第１のデータが取得され、第１のデータを保持するメモリへの、取得された第１のデータの記録が制御され、取得された第１のデータが出力され、第１のデータが出力される際の操作入力が取得され、操作入力が取得されたときに、第１のデータのうち、出力されていた箇所を示すブックマーク情報が、第１のデータに対応付けて設定され、第１のデータ、および、第１のデータに対応付けられて設定されたブックマーク情報が、第２の装置へ供給され、第２の装置からの指令に応じて、メモリに記録された第１のデータが削除され、第２の装置で、第１のデータおよびブックマーク情報が取得され、取得された第１のデータが解析されて、楽曲部分が抽出され、第１のデータの楽曲部分のうち、ブックマーク情報が対応付けられている部分が第２のデータとして抽出され、解析されて抽出された第２のデータに対応するメタデータが取得され、解析されて抽出された第２のデータと、取得が制御されたメタデータとが対応付けられて、対応付けられた第２のデータとメタデータとの記録が制御され、抽出された第２のデータ、および、取得が制御されたメタデータの、第１の装置への供給が制御され、第２のデータ、および、メタデータが、第１の装置に供給されたことに対応して、メモリに記録されている第１のデータの削除が第１の装置に対して指令される。
【００２４】
本発明の第２の側面の情報処理装置は、少なくとも音声データを含む第１のデータを取得する情報処理装置であって、前記第１のデータを取得するデータ取得手段と、前記第１のデータを保持するメモリへの、前記データ取得手段により取得された前記第１のデータの記録を制御する記録制御手段と、前記データ取得手段により取得された前記第１のデータを出力する出力手段と、前記出力手段により前記第１のデータが出力される際の操作入力を取得する操作入力取得手段と、前記操作入力手段により前記操作入力が取得されたときに、前記第１のデータのうち、前記出力手段により出力されていた箇所を示すブックマーク情報を、前記第１のデータに対応付けて設定する設定手段と、前記記録制御手段により前記メモリに記録された前記第１のデータ、および、前記設定手段により前記第１のデータに対応付けられて設定された前記ブックマーク情報の、他の装置への供給を制御する供給制御手段と、前記他の装置が、供給されてくる前記第１のデータ、および、前記ブックマーク情報を用いて取得した第２のデータ、および、メタデータを前記情報処理装置に供給することに対応して、前記メモリに記録されている前記第１のデータの削除を指令した場合、前記他の装置からの指令に応じて、前記メモリに記録された前記第１のデータを削除する削除手段とを備える。
【００２５】
本発明の第２の側面においては、少なくとも音声データを含む第１のデータが取得され、第１のデータを保持するメモリへの、取得された第１のデータの記録が制御され、取得された第１のデータが出力され、操作入力が取得されたときに、第１のデータの出力されていた箇所を示すブックマーク情報が、第１のデータに対応付けて設定され、メモリに記録された第１のデータ、および、第１のデータに対応付けられて設定されたブックマーク情報が、他の装置へ供給され、他の装置が、供給されてくる第１のデータ、および、ブックマーク情報を用いて取得した第２のデータ、および、メタデータを情報処理装置に供給することに対応して、メモリに記録されている第１のデータの削除を指令した場合、他の装置からの指令に応じて、メモリに記録された第１のデータが削除される。
【００２６】
本発明の第３の側面の情報処理装置は、他の装置で取得された、少なくとも音声データを含む第１のデータを解析する情報処理装置であって、前記他の装置から、前記第１のデータ、および、前記第１のデータが出力された際に操作入力を受けたタイミングを示す情報であるブックマーク情報の取得を制御する第１の取得制御手段と、前記第１の取得制御手段により取得された前記第１のデータを解析して、楽曲部分を抽出し、前記第１のデータの楽曲部分のうち、前記ブックマーク情報が対応付けられている部分を第２のデータとして抽出する解析手段と、前記解析手段により抽出された前記第２のデータに対応するメタデータの取得を制御する第２の取得制御手段と、前記解析手段により解析されて抽出された前記第２のデータと、前記第２の取得制御手段により取得が制御された前記メタデータとを対応付け、対応付けられた前記第２のデータと前記メタデータとの記録を制御する記録制御手段と、前記解析手段により抽出された前記第２のデータ、および、前記第２の取得手段により取得が制御された前記メタデータの、前記他の装置への供給を制御する供給制御手段と、前記第２のデータ、および、前記メタデータが、前記他の装置に供給されたことに対応して、前記他の装置のメモリに記録されている前記第１のデータの削除を前記他の装置に対して指令する指令手段とを備える。
【００２７】
本発明の第３の側面においては、他の装置から、第１のデータ、および、第１のデータが出力される際に操作入力を受けたタイミングを示す情報であるブックマーク情報が取得され、取得された第１のデータが解析されて、楽曲部分が抽出され、第１のデータの楽曲部分のうち、ブックマーク情報が対応付けられている部分が第２のデータとして抽出され、解析されて抽出された第２のデータに対応するメタデータが取得され、第２のデータと、メタデータとが対応付けられ、対応付けられた第２のデータとメタデータとが記録され、抽出された第２のデータ、および、取得が制御されたメタデータが、他の装置に供給され、第２のデータ、および、メタデータが、他の装置に供給されたことに対応して、他の装置のメモリに記録されている第１のデータの削除が他の装置に対して指令される。
【００２８】
本発明の第４の側面の情報処理装置は、少なくとも音声データを含む第１のデータを取得する情報処理装置であって、前記第１のデータを取得するデータ取得手段と、前記第１のデータを保持するメモリへの、前記データ取得手段により取得された前記第１のデータの記録を制御する第１の記録制御手段と、前記データ取得手段により取得された前記第１のデータを出力する出力手段と、前記出力手段により前記第１のデータが出力される際の操作入力を取得する操作入力取得手段と、前記操作入力手段により前記操作入力が取得されたときに、前記第１のデータのうち、前記出力手段により出力されていた箇所を示すブックマーク情報を、前記第１のデータに対応付けて設定する設定手段と、前記記録手段により記録された前記第１のデータを解析して、楽曲部分を抽出し、前記第１のデータの楽曲部分のうち、前記ブックマーク情報が対応付けられている部分を第２のデータとして抽出する解析手段と、前記解析手段により解析されて抽出された前記第２のデータに対応するメタデータの取得を制御する第２の取得制御手段と、前記解析手段により解析されて抽出された前記第２のデータと、前記第２の取得制御手段により取得が制御された前記メタデータとを対応付け、対応付けられた前記第２のデータと前記メタデータとの、前記メモリへの記録を制御する第２の記録制御手段と、前記第２の記録制御手段により、対応付けられた前記第２のデータと前記メタデータとの、前記メモリへの記録が行われたことに対応して、前記メモリに記録された前記第１のデータを削除する削除手段とを備える。
【００２９】
本発明の第４の側面においては、第１のデータが取得され、第１のデータを保持するメモリへの、取得された第１のデータの記録が制御され、取得された第１のデータが出力され、操作入力が取得されたときに、第１のデータのうち、出力されていた箇所を示すブックマーク情報が、第１のデータに対応付けて設定され、記録された第１のデータを解析して、楽曲部分を抽出し、第１のデータの楽曲部分のうち、ブックマーク情報が対応付けられている部分が第２のデータとして抽出され、抽出された第２のデータに対応するメタデータの取得が制御され、抽出された第２のデータと、取得が制御されたメタデータとを対応付け、対応付けられた第２のデータとメタデータとの、メモリへの記録が制御され、対応付けられた第２のデータとメタデータとの、メモリへの記録が行われたことに対応して、メモリに記録された第１のデータが削除される。
【００３０】
ネットワークとは、少なくとも２つの装置が接続され、ある装置から、他の装置に対して、情報の伝達をできるようにした仕組みをいう。ネットワークを介して通信する装置は、独立した装置どうしであっても良いし、１つの装置を構成している内部ブロックどうしであっても良い。
【００３１】
また、通信とは、無線通信および有線通信は勿論、無線通信と有線通信とが混在した通信、即ち、ある区間では無線通信が行われ、他の区間では有線通信が行われるようなものであっても良い。さらに、ある装置から他の装置への通信が有線通信で行われ、他の装置からある装置への通信が無線通信で行われるようなものであっても良い。
【００３２】
記録装置は、独立した装置であっても良いし、放送受信端末や記録再生装置の記録処理を行うブロックであっても良い。
【発明の効果】
【００３３】
以上のように、本発明の第１の側面によれば、データを取得して、記録することができ、特に、記録されたデータにブックマークを設定して、楽曲部分を抽出して、メタデータを取得することができるようにしたので、ユーザは、容易に、音声を含むデータを記録して整理することができる。
【００３４】
本発明の第２の側面によれば、データを取得して、記録することができ、特に、記録されたデータにブックマークを設定することができるので、ブックマークが設定されたデータを他の装置に供給して解析させることができる。
【００３５】
また、本発明の第３の側面によれば、データを解析することができ、特に、ブックマークが設定されたデータの供給を受けて解析することができる。
【００３６】
また、本発明の第４の側面によれば、データを取得して、記録することができ、特に、記録されたデータにブックマークを設定して、楽曲部分を抽出して、メタデータを取得することができるようにしたので、ユーザは、容易に、音声を含むデータを記録して整理することができる。
【発明を実施するための最良の形態】
【００３７】
以下に本発明の実施の形態を説明するが、本発明の構成要件と、明細書または図面に記載の実施の形態との対応関係を例示すると、次のようになる。この記載は、本発明をサポートする実施の形態が、明細書または図面に記載されていることを確認するためのものである。従って、明細書または図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００３８】
本発明の第１の側面の情報処理システムは、少なくとも音声データを含む第１のデータを取得することが可能な第１の装置（例えば、放送受信端末１）と、前記第１の装置と情報の授受が可能な第２の装置（例えば、パーソナルコンピュータ５１）とで構成される情報処理システムであって、前記第１の装置は、前記第１のデータを取得するデータ取得手段（例えば、図２または図１３のアンテナ２４）と、
前記第１のデータを保持するメモリ（例えば、図２または図１３のデータ用メモリ２７）への、前記データ取得手段により取得された前記第１のデータの記録を制御する第１の記録制御手段（例えば、図２のコントローラ２１）と、前記データ取得手段により取得された前記第１のデータを出力する出力手段（例えば、図２または図１３の音声出力部１２）と、操作入力を取得する操作入力取得手段（例えば、図３または図１４の操作入力取得部３１）と、前記出力手段により前記第１のデータが出力されるとともに前記操作入力手段により前記操作入力が取得されたときに、前記第１のデータのうち、前記出力手段により出力されていた箇所を示すブックマーク情報を、前記第１のデータに対応付けて設定する設定手段（例えば、図３または図１４のブックマーク設定部３５）と、前記第１の記録制御手段により前記メモリに記録された前記第１のデータ、および、前記設定手段により前記第１のデータに対応付けられて設定された前記ブックマーク情報の、前記第２の装置への供給を制御する第１の供給制御手段（例えば、図２または図１３の通信インターフェース２８、図３または図１４の未解析データ出力制御部３７）と、前記第２の装置からの指令に応じて、前記メモリに記録された前記第１のデータを削除する削除手段（例えば、図３の未解析データファイル管理部３３）とを備え、前記第２の装置は、前記第１の供給制御手段により供給が制御された前記第１のデータおよび前記ブックマーク情報の取得を制御する第１の取得制御手段（例えば、図９の未解析データ取得制御部１０１）と、前記第１の取得制御手段により取得が制御された前記第１のデータを解析して、楽曲部分を抽出し、前記第１のデータの楽曲部分のうち、前記ブックマーク情報が対応付けられている部分を第２のデータ（例えば、ブックマークが対応付けられた楽曲部分）として抽出する解析手段（例えば、図９のデータ解析処理部１０２）と、前記解析手段により解析されて抽出された前記第２のデータに対応するメタデータの取得を制御する第２の取得制御手段（例えば、図９のメタデータ取得制御部１０３）と、前記解析手段により抽出された前記第２のデータと、前記第２の取得制御手段により取得が制御された前記メタデータとを対応付け、対応付けられた前記第２のデータと前記メタデータとの記録を制御する第２の記録制御手段（例えば、図９のデータベース構築部１０４）と、前記解析手段により抽出された前記第２のデータ、および、前記第２の取得手段により取得が制御された前記メタデータの、前記第１の装置への供給を制御する第２の供給制御手段（例えば、図９の解析済みデータ供給制御部１０６）と、前記第２のデータ、および、前記メタデータが、前記第１の装置に供給されたことに対応して、前記メモリに記録されている前記第１のデータの削除を前記第１の装置に対して指令する指令手段（例えば、図９の解析済みデータ供給制御部１０６）とを備える。
【００３９】
前記第２の装置は、前記解析手段により抽出された前記第２のデータ、および、前記第２の取得手段により取得が制御された前記メタデータとのリンク情報を生成するリンク情報生成手段（例えば、図９のブックマークリスト生成部１０５）をさらに備えることができる。
【００４１】
前記第１の装置は、前記第２の装置の前記第２の供給制御手段により供給が制御された、前記第２のデータ、前記メタデータ、および、前記リンク情報の取得を制御する第３の取得制御手段（例えば、図３または図１４のデータ取得制御部４１）と、前記第３の取得制御手段により取得が制御された前記リンク情報の、前記メモリへの記録を制御するリンク情報記録制御手段（例えば、図３または図１４のブックマークリスト管理部３８）と、前記第３の取得制御手段により取得が制御された前記第２のデータ、および、前記メタデータの、前記メモリへの記録を制御する情報記録制御手段（例えば、図３または図１４のメタデータおよび楽曲データ管理部３９）と、前記メモリに記録されている前記第２のデータの再生を制御する再生制御手段（例えば、図３または図１４の楽曲データ再生制御部４０）とをさらに備えることができる。
【００４２】
前記第１の記録制御手段は、前記第１のデータを一時的に保持するバッファメモリ（例えば、図１３のデータ用バッファ１１２）に、前記データ取得手段により取得された前記第１のデータを一時記録させ、前記操作入力手段により前記操作入力が取得された場合、前記バッファメモリに一時的に保持されている前記第１のデータを前記メモリに記録させるとともに、その後所定の時間、前記データ取得手段により取得された前記第１のデータを前記メモリに連続して記録させることができる。
【００４３】
本発明の第１の側面の情報処理方法は、少なくとも音声データを含む第１のデータを取得することが可能な第１の装置と、前記第１の装置と情報の授受が可能な第２の装置とで構成される情報処理システムの情報処理方法であって、前記第１の装置は、前記第１のデータを取得し（例えば、図１０のステップＳ３の処理）、前記第１のデータを保持するメモリへの、取得された前記第１のデータの記録を制御し（例えば、図１０のステップＳ４の処理）、取得された前記第１のデータを出力し（例えば、図１０のステップＳ６の処理）、前記第１のデータが出力される際の操作入力を取得し（例えば、図１０のステップＳ７の処理）、前記操作入力が取得されたときに、前記第１のデータのうち、出力されていた箇所を示すブックマーク情報を、前記第１のデータに対応付けて設定し（例えば、図１０のステップＳ８の処理）、前記第１のデータ、および、前記第１のデータに対応付けられて設定された前記ブックマーク情報の、前記第２の装置への供給を制御し、前記第２の装置からの指令に応じて、前記メモリに記録された前記第１のデータを削除し（例えば、図１２のステップＳ８７の処理）、前記第２の装置は、前記第１のデータおよび前記ブックマーク情報の取得を制御し（例えば、図１１のステップＳ４１の処理）、取得された前記第１のデータを解析して、楽曲部分を抽出し、前記第１のデータの楽曲部分のうち、前記ブックマーク情報が対応付けられている部分を第２のデータ（例えば、ブックマークが対応付けられた楽曲部分）として抽出し（例えば、図１１のステップＳ４５の処理）、解析されて抽出された前記第２のデータに対応するメタデータの取得を制御し（例えば、図１１のステップＳ４７の処理）、解析されて抽出された前記第２のデータと、取得が制御された前記メタデータとを対応付け、対応付けられた前記第２のデータと前記メタデータとの記録を制御し（例えば、図１１のステップＳ４８の処理）、抽出された前記第２のデータ、および、取得が制御された前記メタデータの、前記第１の装置への供給を制御し（例えば、図１１のステップＳ５３の処理）、前記第２のデータ、および、前記メタデータが、前記第１の装置に供給されたことに対応して、前記メモリに記録されている前記第１のデータの削除を前記第１の装置に対して指令する（例えば、図１１のステップＳ５４の処理）ステップを含む。
【００４４】
本発明の第１の側面の第１のプログラムは、少なくとも音声データを含む第１のデータを取得することが可能な第１の装置と、前記第１の装置と情報の授受が可能な第２の装置とで構成される情報処理システムの前記第１の装置を制御するコンピュータに、前記第１のデータの処理を実行させるためのプログラムであって、前記第１のデータを取得（例えば、図１０のステップＳ３の処理）、前記第１のデータを保持するメモリへの、取得された前記第１のデータの記録を制御し（例えば、図１０のステップＳ４の処理）、取得された前記第１のデータを出力し（例えば、図１０のステップＳ６の処理）、前記第１のデータが出力される際の操作入力を取得し（例えば、図１０のステップＳ７の処理）、前記操作入力が取得されたときに、前記第１のデータのうち、出力されていた箇所を示すブックマーク情報を、前記第１のデータに対応付けて設定し（例えば、図１０のステップＳ８の処理）、前記第１のデータ、および、前記第１のデータに対応付けられて設定された前記ブックマーク情報の、前記第２の装置への供給を制御し、前記第２の装置が、供給されてくる前記第１のデータ、および、前記ブックマーク情報を用いて取得した第２のデータ、および、メタデータを前記第１の装置に供給することに対応して、前記メモリに記録されている前記第１のデータの削除を指令した場合、前記第２の装置からの指令に応じて、前記メモリに記録された前記第１のデータを削除する（例えば、図１２のステップＳ８７の処理）ステップを含む処理をコンピュータに実行させる。
【００４５】
本発明の第１の側面の第２のプログラムは、少なくとも音声データを含む第１のデータを取得することが可能な第１の装置と、前記第１の装置と情報の授受が可能な第２の装置とで構成される情報処理システムの前記第２の装置を制御するコンピュータに、前記第１の装置から供給された前記第１のデータを解析する処理を実行させるためのプログラムであって、前記第１の装置から供給される、前記第１のデータおよび前記第１のデータが出力される際の操作入力を受けたタイミングを示す情報であるブックマーク情報の取得を制御し（例えば、図１１のステップＳ４１の処理）、取得された前記第１のデータを解析して、楽曲部分を抽出し、前記第１のデータの楽曲部分のうち、前記ブックマーク情報が対応付けられている部分を第２のデータ（例えば、ブックマークが対応付けられた楽曲部分）として抽出し（例えば、図１１のステップＳ４５の処理）、解析されて抽出された前記第２のデータに対応するメタデータの取得を制御し（例えば、図１１のステップＳ４７の処理）、解析されて抽出された前記第２のデータと、取得が制御された前記メタデータとを対応付け、対応付けられた前記第２のデータと前記メタデータとの記録を制御し（例えば、図１１のステップＳ４８の処理）、抽出された前記第２のデータ、および、取得が制御された前記メタデータの、前記第１の装置への供給を制御し（例えば、図１１のステップＳ５３の処理）、前記第２のデータ、および、前記メタデータが、前記第１の装置に供給されたことに対応して、前記第１の装置のメモリに記録されている前記第１のデータの削除を前記第１の装置に対して指令する（例えば、図１１のステップＳ５４の処理）ステップを含む処理をコンピュータに実行させる。
【００４６】
本発明の第２の側面の情報処理装置は、少なくとも音声データを含むデータを取得する情報処理装置（例えば、放送受信端末１）であって、前記第１のデータを取得するデータ取得手段（例えば、図２または図１３のアンテナ２４）と、前記第１のデータを保持するメモリ（例えば、図２または図１３のデータ用メモリ２７）への、前記データ取得手段により取得された前記第１のデータの記録を制御する記録制御手段（例えば、図２のコントローラ２１）と、前記データ取得手段により取得された前記第１のデータを出力する出力手段（例えば、図２または図１３の音声出力部１２）と、前記出力手段により前記第１のデータが出力される際の操作入力を取得する操作入力取得手段（例えば、図３または図１４の操作入力取得部３１）と、前記操作入力手段により前記操作入力が取得されたときに、前記第１のデータのうち、前記出力手段により出力されていた箇所を示すブックマーク情報を、前記第１のデータに対応付けて設定する設定手段（例えば、図３または図１４のブックマーク設定部３５）と、前記記録制御手段により前記メモリに記録された前記第１のデータ、および、前記設定手段により前記第１のデータに対応付けられて設定された前記ブックマーク情報の、他の装置への供給を制御する供給制御手段（例えば、図２または図１３の通信インターフェース２８、図３または図１４の未解析データ出力制御部３７）と、前記他の装置が、供給されてくる前記第１のデータ、および、前記ブックマーク情報を用いて取得した第２のデータ、および、メタデータを前記情報処理装置に供給することに対応して、前記メモリに記録されている前記第１のデータの削除を指令した場合、前記他の装置からの指令に応じて、前記メモリに記録された前記第１のデータを削除する削除手段（例えば、図３の未解析データファイル管理部３３）とを備える。
【００４７】
本発明の第３の側面の情報処理装置は、他の装置で取得された、少なくとも音声データを含む第１のデータを解析する情報処理装置（例えば、パーソナルコンピュータ５１）において、前記他の装置から、前記第１のデータ、および、前記第１のデータが出力される際に操作入力を受けたタイミングを示す情報であるブックマーク情報の取得を制御する第１の取得制御手段（例えば、図９の未解析データ取得制御部１０１）と、前記第１の取得制御手段により取得された前記第１のデータを解析して、楽曲部分を抽出し、前記第１のデータの楽曲部分のうち、前記ブックマーク情報が対応付けられている部分を第２のデータ（例えば、ブックマークが対応付けられた楽曲部分）として抽出する解析手段（例えば、図９のデータ解析処理部１０２）と、前記解析手段により解析されて抽出された前記第２のデータに対応するメタデータの取得を制御する第２の取得制御手段（例えば、図９のメタデータ取得制御部１０３）と、前記解析手段により解析されて抽出された前記第２のデータと、前記第２の取得制御手段により取得が制御された前記メタデータとを対応付け、対応付けられた前記第２のデータと前記メタデータとの記録を制御する記録制御手段（例えば、図９のデータベース構築部１０４）と、前記解析手段により抽出された前記第２のデータ、および、前記第２の取得手段により取得が制御された前記メタデータの、前記他の装置への供給を制御する供給制御手段（例えば、図９の解析済みデータ供給制御部１０６）と、前記第２のデータ、および、前記メタデータが、前記他の装置に供給されたことに対応して、前記他の装置のメモリに記録されている前記第１のデータの削除を前記他の装置に対して指令する指令手段（例えば、図９の解析済みデータ供給制御部１０６）とを備える。
【００４８】
本発明の第４の側面の情報処理装置は、少なくとも音声データを含む第１のデータを取得する情報処理装置（例えば、図１６のパーソナルコンピュータ１５１）であって、前記第１のデータを取得するデータ取得手段（例えば、図１６のアンテナ２４）と、前記第１のデータを保持するメモリ（例えば、図１６の記録部７６）への、前記データ取得手段により取得された前記第１のデータの記録を制御する第１の記録制御手段（例えば、図１７の未解析データファイル管理部３３）と、前記データ取得手段により取得された前記第１のデータを出力する出力手段（例えば、図１６の出力部６１）と、前記出力手段により前記第１のデータが出力された際に操作入力を取得する操作入力取得手段（例えば、図１７の操作入力取得部３１）と、前記操作入力手段により前記操作入力が取得されたときに、前記第１のデータのうち、前記出力手段により出力されていた箇所を示すブックマーク情報を、前記第１のデータに対応付けて設定する設定手段（例えば、図１７のブックマーク設定部３５）と、前記記録手段により記録された前記第１のデータを解析して、楽曲部分を抽出し、前記第１のデータの楽曲部分のうち、前記ブックマーク情報が対応付けられている部分を第２のデータ（例えば、ブックマークが対応付けられた楽曲部分）として抽出する解析手段（例えば、図１７のデータ解析処理部１０２）と、前記解析手段により解析されて抽出された前記第２のデータに対応するメタデータの取得を制御する第２の取得制御手段（例えば、図１７のメタデータ取得制御部１０３）と、前記解析手段により解析されて抽出された前記第２のデータと、前記第２の取得制御手段により取得が制御された前記メタデータとを対応付け、対応付けられた前記第２のデータと前記メタデータとの、前記メモリへの記録を制御する第２の記録制御手段（例えば、図１７のデータベース構築部１０４）と、前記第２の記録制御手段により、対応付けられた前記第２のデータと前記メタデータとの、前記メモリへの記録が行われたことに対応して、前記メモリに記録された前記第１のデータを削除する削除手段（例えば、図１７のデータ解析処理部１０２）とを備える。
【００４９】
以下、図を参照して、本発明の実施の形態について説明する。
【００５０】
図１は、本発明を適用した放送受信端末１の外形の一例を示す図である。
【００５１】
放送受信端末１は、表示部１１、スピーカ１２−１およびイヤホンジャック１２−２により構成される音声出力部１２と、操作入力部１３とを備え、ラジオまたはテレビジョン放送を受信して再生出力可能なようになされている。また、放送受信端末１は、例えば、ユーザが片手で把持できる程度の大きさで携帯可能なようになされていると好適である。
【００５２】
図２は、図１の放送受信端末１の構成例を示すブロック図である。
【００５３】
放送受信端末１は、コントローラ２１、プログラム用メモリ２２、電源回路２３、表示部１１、音声出力部１２、操作入力部１３、アンテナ２４、チューナ２５、再生処理部２６、データ用メモリ２７、および、通信インターフェース２８を含んで構成されている。
【００５４】
コントローラ２１は、プログラム用メモリ２２に記録されているプログラムを実行することにより、放送受信端末１の動作を制御するものである。
【００５５】
プログラム用メモリ２２は、コントローラ２１により実行されるプログラムと、プログラムの実行に必要なデータを記録している。
【００５６】
電源回路２３は、放送受信端末１に装着された電池３０から放送受信端末１の各部に電源を供給する。
【００５７】
アンテナ２４は、ラジオまたはテレビジョンなどの放送波を受信する。
【００５８】
チューナ２５は、アンテナ２４により受信されたラジオまたはテレビジョンなどの放送波を、コントローラ２１の制御に基づいて選局する。
【００５９】
再生処理部２６は、チューナ２５により選局されて受信された放送波の再生を行う。具体的には、再生処理部２６は、受信信号を復調し、必要に応じてデスクランブル処理などを施したり、復号処理を施して、放送信号を再生する。
【００６０】
表示部１１は、例えば、液晶ディスプレイなどにより構成され、コントローラ２１の制御に基づいて、再生処理部２６により再生された放送信号のうちの映像を表示したり、ユーザに対するメッセージや操作入力を補助するための情報、または、データ用メモリ２７に保存されているデータに関する情報などをユーザに知らせるための表示画面、すなわち、ＧＵＩ（Graphic User Interface）を表示する。
【００６１】
音声出力部１２は、スピーカ１２−１およびイヤホンジャック１２−２により構成され、コントローラ２１の制御に基づいて、再生処理部２６により再生された放送信号のうちの音声を出力する。また、音声出力部１２は、例えば、イヤホンジャック１２−２にイヤホンなどが接続されている場合、スピーカ１２−１から音声を出力しないようにしてもよい。
【００６２】
操作入力部１３は、例えば、ボタン、タッチパッド、タッチパネル、ダイヤルなどの操作入力デバイスにより構成され、ユーザの操作入力を受けて、ユーザの操作入力を示す信号をコントローラ２１に供給する。
【００６３】
データ用メモリ２７は、例えば、ハードディスク、半導体メモリ、磁気ディスク、光磁気ディスクなどにより構成され、コントローラ２１の制御に基づいて、再生処理部２６により再生された放送信号、または、通信インターフェース２８を介して外部（例えば、後述するパーソナルコンピュータなど）から入力された情報を記録する。また、放送受信端末１にメモリスロットなどを設けるようにし、データ用メモリ２７を着脱可能なようにしてもよい。
【００６４】
通信インターフェース２８は、有線または無線により他の装置と接続する機能を有し、情報の授受を行うものである。なお、ここでは、放送受信端末１は、アンテナ２４により放送波を受信し、受信された放送波を、再生して記録するものとして説明したが、例えば、放送受信端末１は、有線の接続により、有線放送や、ケーブルテレビジョンの番組を取得したり、インターネットを介して提供される各種コンテンツのデータを取得することができるようにし、これらを再生して記録することができるようにしてもよい。
【００６５】
図３は、放送受信端末１のコントローラ２１が有する機能について説明するための機能ブロック図である。図３を参照して、放送受信端末１の動作について説明する。
【００６６】
操作入力取得部３１は、操作入力部１３から供給されるユーザの操作入力を取得する。放送受信および再生制御部３２は、操作入力取得部３１により取得されたユーザの操作入力を基に、チューナ２５を制御してユーザが所望する放送局の放送の受信を制御するとともに、再生制御部２６、音声出力部１２、表示部１１を制御して、受信された放送信号の再生を制御する。
【００６７】
未解析データファイル管理部３３は、放送受信および再生制御部３２の処理により受信された放送信号のデータ用メモリ２７への記録を制御し、記録されたデータを基に未解析データファイルを生成する。また、未解析データファイル管理部３３は、後述するパーソナルコンピュータにおいて実行されるメタデータの取得のために、放送局と放送時刻などの情報が用いられる場合、放送局と放送時刻などの情報を、未解析データファイルとともに記録する。なお、後述するパーソナルコンピュータにおいて実行されるメタデータの取得のために必要な情報は、例えば、放送受信地域など、放送局と放送時刻以外の情報である場合もあり、未解析データファイル管理部３３は、必要に応じて、後述するパーソナルコンピュータにおいて実行されるメタデータの取得のために必要な情報を取得する。
【００６８】
ＧＵＩ表示制御部３４は、ユーザの操作入力のための補助となる情報、いわゆる、ＧＵＩの表示部１１への表示を制御する。
【００６９】
ブックマーク設定部３５は、タイマ３６を制御し、未解析データファイル管理部３３の管理に基づいてデータ用メモリ２７への放送信号の記録が開始されたときからの経過時間のカウントを開始させるとともに、操作入力取得部３１により、ユーザからのブックマークをつけることの指令が取得された場合、タイマ３６を参照し、ブックマークの操作入力を受けた時点の、放送受信開始を基準とした相対的な時刻情報を記録する。すなわち、ユーザは、視聴しているテレビジョン放送またはラジオ放送において、気に入った楽曲などがあった場合、操作入力部１３を操作して、Bookmark（ブックマーク）をつけることを指令する。本発明におけるブックマークとは、いわゆる、書籍の「しおり」のように、データに印をつけるものであり、ここでは、ユーザは、視聴している放送において気に入った楽曲（後述する解析処理により楽曲等の抽出と、メタデータの取得を行うことを希望する楽曲）に対してブックマークを付けることを指令する。
【００７０】
ブックマーク設定部３５により設定されるブックマークとは、有限の再生時間を有する放送信号そのものの音声データ（および音声データと同期して受信された映像データ）に対する相対的な時刻情報であり、楽曲データそのものを指し示すもの（楽曲データと対になるもの）ではない。したがって、ここで時刻情報が音声データに対応付けて記録されることを、ブックマークの仮登録と称する。ブックマークの仮登録が行われることにより、後述する解析処理によってブックマークを含む楽曲等が抽出され、ブックマークリストが生成され、可能であれば、メタデータが取得されて、データベースが構築される。
【００７１】
なお、ブックマーク設定部３５により設定されるブックマークは、ユーザが視聴している放送において気に入った楽曲に対して「印」を付けることができるものであれば、相対的な時刻情報に限らず、いかなる情報であってもよい。例えば、ブックマーク設定部３５により設定されるブックマークは、オーディオストリーム中のフラグ情報として設定されるものなどであってもよい。
【００７２】
未解析データ出力処理部３７は、未解析データファイル管理部３３により管理されている、録音または録画のファイルと、これらのファイルに対応付けられているブックマークの仮登録情報との外部の装置（後述するパーソナルコンピュータ）への出力と、必要に応じて、後述するメタデータの取得処理のために必要な情報の外部の装置への出力を制御する。
【００７３】
データ取得制御部４１は、解析済みの楽曲データおよび対応するメタデータ、並びに、ブックマークリストの更新情報などを外部の装置（後述するパーソナルコンピュータ）から取得する。ブックマークリストとは、後述する解析処理によって生成される、ユーザがブックマークを付けることを指令した楽曲の一覧を示す情報であり、解析処理によって得られる楽曲データと対応するメタデータとのリンク情報を含むものである。
【００７４】
ブックマークリスト管理部３８は、供給された情報を基に、ブックマークリストを管理し、データ用メモリ２７に記録させる。メタデータおよび楽曲データ管理部３９は、供給された楽曲データと対応するメタデータとを、データ用メモリ２７に供給して保存させる。楽曲データ再生制御部４０は、操作入力取得部３１により取得されたユーザの操作入力を基に、ユーザに選択された楽曲などをデータ用メモリ２７から読み出し、表示部１１、または、音声出力部１２に供給して再生出力させる。
【００７５】
放送受信端末１の具体的な動作について以下に説明する。
【００７６】
ユーザが放送受信端末１の動作の開始を指令すると、放送受信および再生制御部３２は、チューナ２５を制御して、前の操作の終了時に受信していた放送局、または、操作入力取得部３１により取得されたユーザの操作入力に基づいた所定の放送局を選局させて、アンテナ２４により受信される放送波を再生処理部２６に供給させて、復調などを行わせる。受信したのがラジオ放送である場合、放送受信および再生制御部３２は、再生された音声を音声出力部１２に供給して音声出力させ、未解析データファイル管理部３３は、再生された音声をデータ用メモリ２７に供給して記録させる。そして、ＧＵＩ表示制御部３４は、例えば、図４に示されるように、表示部１１に、音声出力中のラジオ放送に関する情報を表示させる。また、受信したのがテレビジョン放送である場合、放送受信および再生制御部３２は、再生された音声を音声出力部１２に供給して音声出力させ、再生した映像を表示部１１に出力して表示させ、未解析データファイル管理部３３は、再生された音声および映像を、データ用メモリ２７に供給して記録させる。ＧＵＩ表示制御部３４は、例えば、図４を用いて説明した場合と同様に、表示部１１に表示されている映像の妨げにならないように、出力中のテレビジョン放送に関する情報を表示させる。ブックマーク設定部３５は、タイマ３６を制御し、データ用メモリ２７への放送信号の記録が開始されたときからの経過時間のカウントを開始させる。
【００７７】
また、操作入力取得部３１が、現在受信中の放送信号でデータ用メモリ２７に記録されている部分に関して、巻き戻し、早送り、一時停止などの指令を受けた場合、放送受信および再生制御部３２は、ユーザの操作入力に基づいて、データ用メモリ２７に記録されている放送信号を読み出して、表示部１１、または、音声出力部１２に供給する。そして、未解析データファイル管理部３３は、リアルタイムで受信されている放送信号を、継続して、データ用メモリ２７に供給して保存させる。
【００７８】
操作入力取得部３１が、操作入力部１３から、Bookmark（ブックマーク）を指令する操作入力を受けた場合、ブックマーク設定部３５は、タイマ３６を参照し、ブックマークの操作入力を受けた時点の、放送受信開始を基準とした相対的な時刻情報を記録する（ブックマークの仮登録）。
【００７９】
このとき、ＧＵＩ表示制御部３４は、表示部１１に、例えば、図５に示されるように、ブックマークの指令を受け付けたことをユーザに通知するためのメッセージを表示させる。
【００８０】
操作入力取得部３１が、操作入力部１３から、チューニング（放送局、チャンネル）の変更、または、放送受信の終了を指令する操作入力を受けた場合、未解析データファイル管理部３３は、データ用メモリ２７に記録されている放送信号に、放送受信開始を基準とした相対的な時刻情報が対応付けられて記録されて（ブックマークが仮登録されて）いれば、記録されている放送信号に対して、例えば、ファイル生成の時刻、または、受信した放送局名などを用いて固有のファイル名をつけ、未解析のデータファイルとして、ブックマーク設定部３５により記録されたブックマークの相対的な時刻情報を対応付けてデータ用メモリ２７に保存する。ブックマークの相対的な時刻情報（ブックマークの仮登録情報）は１つのファイルに複数対応付けられていてもよい。
【００８１】
また、未解析データファイル管理部３３は、後述するパーソナルコンピュータにおいて実行されるメタデータの取得のために必要な情報（例えば、放送局と放送時刻などの情報）を取得し、未解析データファイルとともに記録する。
【００８２】
未解析データファイル管理部３３は、放送受信端末１が後述するパーソナルコンピュータと接続されるまで、チューニング（放送局、チャンネル）の変更、または、放送受信の終了を指令する操作入力を受けるたびに、データ用メモリ２７に記録されている放送信号に１つ以上のブックマークが仮登録されているか否かを判断して、１つ以上のブックマークが仮登録されている放送信号に関して、未解析データファイルを生成する。すなわち、未解析データファイル管理部３３は、複数の未解析データファイルを生成する場合がある。
【００８３】
そして、放送受信端末１は、後述するパーソナルコンピュータと接続されて、データ用メモリ２７に記録されている未解析データファイルと、これらのファイルに対応付けられて記録されているブックマークの仮登録情報と、必要に応じて、放送局と放送時刻などの情報とを、通信インターフェース２８を介して、パーソナルコンピュータに供給する。すなわち、未解析データ出力処理部３７は、未解析データファイル管理部３３により管理されている、録音または録画の未解析データファイルと、これらのファイルに対応付けられているブックマークの仮登録情報と、必要に応じて、放送局と放送時刻などの情報とを、データ用メモリ２７から読み出し、通信インターフェース２８を介して、パーソナルコンピュータに供給する。パーソナルコンピュータにおいては、後述する解析処理が実行される。
【００８４】
また、放送受信端末１は、パーソナルコンピュータから、解析済みの情報の供給を受けて、これを記録し、ユーザの操作入力に基づいて再生することができる。
【００８５】
具体的には、データ取得制御部４１は、通信インターフェース２８を介して、パーソナルコンピュータから、解析済みの情報の供給を受け、ブックマークリスト管理部３８は、供給された情報を基に、ブックマークリストを記録または更新し、メタデータおよび楽曲データ管理部３９は、供給された楽曲データと対応するメタデータとを、データ用メモリ２７に供給して保存させる。そして、操作入力取得部３１により、操作入力部１３から、データ用メモリ２７に記録されているパーソナルコンピュータによって解析されて供給された楽曲などの再生の指令が取得された場合、ＧＵＩ表示制御部３４は、表示部１１に、例えば、図６に示されるようにして、再生させる楽曲をユーザに選択させるために、再生可能な楽曲とその楽曲の曲名などのメタデータの一覧、すなわち、ブックマークリストが表示された表示画面を表示させる。
【００８６】
そして、操作入力取得部３１が、操作入力部１３から、図６に示される表示画面を参照したユーザの操作入力を取得した場合、楽曲データ再生制御部４０は、ユーザに選択された楽曲などをデータ用メモリ２７から読み出し、表示部１１、または、音声出力部１２に供給して再生出力させる。
【００８７】
次に、図７は、図１および図２を用いて説明した放送受信端末１と、有線または無線、もしくは、所定のネットワークを介して接続可能な、パーソナルコンピュータ５１の外形の一例を示す図である。
【００８８】
パーソナルコンピュータ５１は、表示部６１−１およびスピーカ６１−２を含む出力部６１と、キーボード６２−１、タッチパッド６２−２、および、マウス６２−３などの入力部６２を含んで構成されている。
【００８９】
なお、図７においては、パーソナルコンピュータ５１をノートブック型のものとして図示しているが、パーソナルコンピュータ５１は、デスクトップ型であってもよいことはいうまでもない。
【００９０】
図８は、図２のパーソナルコンピュータ５１の構成例を示すブロック図である。
【００９１】
CPU（Central Processing Unit）７１は、ROM（Read Only Memory）７２に記録されているプログラム、またはＨＤＤ（Hard Disc Drive）などにより構成される記録部７６から、RAM（Random Access Memory）７３にロードされたプログラムに従って各種の処理を実行する。RAM７３にはまた、CPU７１が各種の処理を実行する上において必要なデータなども適宜記録される。
【００９２】
CPU７１、ROM７２、およびRAM７３は、内部バス７４を介して相互に接続されている。この内部バス７４にはまた、入出力インターフェース７５も接続されている。
【００９３】
入出力インターフェース７５には、キーボード６２−１、タッチパッド６２−２、および、マウス６２−３などよりなる入力部６２、CRT（Cathode Ray Tube）、またはLCD（Liquid Crystal Display）などよりなる表示部６１−１およびスピーカ６１−２などよりなる出力部６１、ハードディスクなどにより構成される記録部７６、モデム、ターミナルアダプタなどより構成されるネットワークインターフェース７７が接続されている。ネットワークインターフェース７７は、例えば、有線、または、無線による通信、もしくは、インターネットなどのネットワークを介して、放送受信端末１などの他の装置との通信処理を行う。
【００９４】
入出力インターフェース７５にはまた、必要に応じてドライブ７８が接続され、磁気ディスク８１、光ディスク８２、光磁気ディスク８３、または、半導体メモリ８４などが適宜装着され、それらから読み出されたコンピュータプログラムが、必要に応じて記録部７６にインストールされる。
【００９５】
次に、パーソナルコンピュータ５１のＣＰＵ７１において、放送受信端末１から供給されたデータを解析し、メタデータを取得してデータベースを構築するとともにブックマークリストを生成するためのアプリケーションが実行された場合の機能および動作について説明する。図９は、パーソナルコンピュータ５１のＣＰＵ７１において、放送受信端末１から供給されたデータを解析し、メタデータを取得してデータベースを構築するとともにブックマークリストを生成するためのアプリケーションが実行された場合の機能ブロック図である。
【００９６】
未解析データ取得制御部１０１は、ネットワークインターフェース７７を介して、放送受信端末１から、まだ解析されていない録音または録画のファイルと、これらのファイルに対応付けられて記録されているブックマークの仮登録情報（例えば、相対的な時刻情報）と、必要に応じて、メタデータの取得のために用いられる情報（例えば、放送局と放送時刻などの情報）とを取得し、記録部７６に保存させる。
【００９７】
データ解析処理部１０２は、記録部７６に保存された、まだ解析されていない録音または録画のファイルを解析し、楽曲部分を抽出したり、メタデータの取得に必要な情報を抽出する。メタデータ取得制御部１０３は、データ解析処理部１０２の解析結果を基に、メタデータを取得する処理を実行する。
【００９８】
データベース構築部１０４は、解析により得られた楽曲データと、楽曲データに対応するメタデータを基に、楽曲のデータベースを構築する。
【００９９】
ブックマークリスト生成部１０５は、放送受信端末１においてユーザの操作入力を基にして設定されたブックマークの仮登録を基に、解析処理により得られた楽曲データの一覧であるブックマークのリストを生成するものである。ブックマークリストとは、具体的には、ユーザがブックマークを付けることを指令した楽曲の一覧を示す情報であり、データベース構築部１０４により構築されたデータベースの楽曲データおよびメタデータに対するリンク情報のリストである。ブックマークリスト生成部１０５の処理により生成されるブックマークリストに記載されたブックマークを、上述したブックマークの仮登録に対して、本登録されたブックマークと称するものとする。
【０１００】
解析済みデータ供給制御部１０６は、解析により得られた楽曲データおよび楽曲データに対応するメタデータ、並びに、ブックマークリストの更新情報の放送受信端末１への供給を制御する。
【０１０１】
これらの機能を用いた具体的な動作について以下に説明する。
【０１０２】
パーソナルコンピュータ５１に、有線、または、無線通信により、放送受信端末１が接続された場合、未解析データ取得制御部１０１は、放送受信端末１のデータ用メモリ２７に、まだ解析されていない録音または録画のファイル、すなわち、未解析データファイルと、これらのファイルに対応付けられて記録されているブックマークの仮登録情報とが記録されているか否かを検出する。未解析データ取得制御部１０１は、放送受信端末１のデータ用メモリ２７に、未解析データファイルと、これらのファイルに対応付けられて記録されているブックマークの仮登録情報とが記録されていた場合、ネットワークインターフェース７７を介して、放送受信端末１から、未解析データファイルと、これらのファイルに対応付けられて記録されているブックマークの仮登録情報と、必要に応じて、メタデータの取得のために用いられる情報（例えば、放送局と放送時刻などの情報）を取得し、記録部７６に保存させる。
【０１０３】
データ解析処理部１０２は、未解析データ取得制御部１０１により取得され、記録部７６に保存された、まだ解析されていない録音または録画のファイルを解析し、例えば、特開２００５−２７４７０８号公報などに記載されている解析方法を用いて、音声のテンポやスピード感などの特徴量を基に、楽曲の部分と、アナウンサの会話などの楽曲以外の部分とを区別して、ブックマークの仮登録情報を基に、ユーザがブックマークを付けることを指令した相対的な時刻を含む楽曲の部分を抽出する。また、データ解析処理部１０２は、メタデータの取得に必要な情報の抽出または解析も実行し、メタデータの取得に必要な情報を、メタデータ取得制御部１０３に供給する。
【０１０４】
例えば、楽曲データの一部を、検索サービスを行う所定のサーバに送出することによりメタデータが取得されるようになされている場合、データ解析処理部１０２は、所定のサーバに送信する楽曲の一部を抽出する。また、データ解析処理部１０２は、検索処理に用いる楽曲の特徴量を抽出して、メタデータ取得制御部１０３に供給し、所定のサーバに、抽出された楽曲の特徴量を送出させて、メタデータを得るようにしてもよい。さらに、メタデータの取得のために、放送局と放送時刻などの情報が用いられる場合、データ解析処理部１０２は、未解析データ取得制御部１０１から、例えば、放送局と放送時刻などの情報を取得する。
【０１０５】
メタデータ取得制御部１０３は、例えば、楽曲の一部、または、検索処理に用いる楽曲の特徴量を、内部バス７４、入出力インターフェース７５、および、ネットワークインターフェース７７を介して、楽曲データの一部を基に検索サービスを提供する所定のサーバに供給するとともに、ネットワークインターフェース７７により受信されたメタデータを記録部７６に供給する。また、メタデータ取得制御部１０３は、例えば、放送局と放送時刻などの情報を、内部バス７４、入出力インターフェース７５、および、ネットワークインターフェース７７を介して、放送局と放送時刻などの情報を基に検索サービスを提供する所定のサーバに供給するとともに、ネットワークインターフェース７７により受信されたメタデータを記録部７６に供給する。
【０１０６】
また、メタデータ取得制御部１０３は、上述した方法を、単独ではなく複数用いて、メタデータを取得するようにしてもよい。
【０１０７】
データベース構築部１０４は、データ解析処理部１０２の解析により得られた、ブックマークされた楽曲データと、メタデータ取得制御部１０３により取得された楽曲データに対応するメタデータとを対応付けて記録部７６に記録させ、楽曲のデータベースを構築する。
【０１０８】
ブックマークリスト生成部１０５は、データベース構築部１０４により構築されるデータベースとユーザによるブックマークとの対応関係を示す情報であるブックマークリストを生成し、内部バス７４、入出力インターフェース７５を介して、記録部７６に供給して記録させる。
【０１０９】
解析済みデータ供給制御部１０６は、パーソナルコンピュータ５１が放送受信端末１と接続されたとき、放送受信端末１に記録されているブックマークリストが最新のものであるか否かを判断する。解析済みデータ供給制御部１０６は、放送受信端末１に記録されているブックマークリストが最新のものではないと判断した場合、解析により得られた楽曲データおよび楽曲データに対応するメタデータ、並びに、ブックマークリストの更新情報を、内部バス７４、入出力インターフェース７５、および、ネットワークインターフェース７７を介して、放送受信端末１に供給する。
【０１１０】
次に、図１０乃至図１２のフローチャートを参照して、放送受信端末１およびパーソナルコンピュータ５１が実行する処理について説明する。
【０１１１】
まず、図１０のフローチャートを参照して、放送受信端末１の放送受信および記録処理１について説明する。
【０１１２】
ステップＳ１において、操作入力取得部３１は、ユーザにより、放送の受信開始が指令されたか否かを判断する。ステップＳ１において、放送の受信開始が指令されていないと判断された場合、放送の受信開始が指令されたと判断されるまで、ステップＳ１の処理が繰り返される。
【０１１３】
ステップＳ１において、放送の受信開始が指令されたと判断された場合、ステップＳ２において、操作入力取得部３１は、ユーザの操作入力を示す信号を、放送受信および再生制御部３２に供給する。放送受信および再生制御部３２は、受信周波数または受信チャンネルを決定し、チューナ２５を制御して、アンテナ２４により受信される放送信号を選局（チューニング）する。
【０１１４】
ステップＳ３において、放送受信および再生制御部３２は、アンテナ２４およびチューナ２５を制御して、放送の受信を開始する。
【０１１５】
ステップＳ４において、未解析データファイル管理部３３は、受信した放送のデータ用メモリ２７への記録を開始する。このとき、ブックマーク設定部３５は、タイマ３６を制御して、相対時刻のカウントを開始させる。
【０１１６】
ステップＳ５において、ＧＵＩ表示制御部３４は、例えば、図４を用いて説明したような、現在受信中の放送の再生が行われていることをユーザに通知するためのＧＵＩ表示画面を表示部１１に表示させる。
【０１１７】
ステップＳ６において、放送受信および再生制御部３２は、再生処理部２６を制御し、受信した放送を、音声出力部１２と、必要に応じて表示部１１から再生出力させる。
【０１１８】
ステップＳ７において、操作入力取得部３１は、ユーザにより、ブックマークの指示を受けたか否かを判断する。
【０１１９】
ステップＳ７において、ブックマークの指示を受けたと判断された場合、ステップＳ８において、操作入力取得部３１は、ユーザにより、ブックマークの指示を受けたことをブックマーク設定部３５に通知する。ブックマーク設定部３５は、タイマ３６を参照して、ブックマークが指示された相対的な時刻を、記録中の放送信号と対応付けて記録する。
【０１２０】
ステップＳ７において、ブックマークの指示を受けていないと判断された場合、または、ステップＳ８の処理の終了後、ステップＳ９において、操作入力取得部３１は、ユーザにより、放送の受信終了、もしくは、周波数またはチャンネルの変更が指令されたか否かを判断する。ステップＳ９において、放送の受信終了、もしくは、周波数またはチャンネルの変更が指令されていないと判断された場合、処理は、ステップＳ７に戻り、それ以降の処理が繰り返される。
【０１２１】
ステップＳ９において、放送の受信終了、もしくは、周波数またはチャンネルの変更が指令されたと判断された場合、ステップＳ１０において、放送受信および再生制御部３２は、再生処理部２６を制御し、受信した放送の再生出力を終了し、未解析データファイル管理部３３は、受信した放送のデータ用メモリ２７への記録を終了する。
【０１２２】
ステップＳ１１において、未解析データファイル管理部３３は、データ用メモリ２７へ記録された放送信号に対して、ブックマーク設定部３５によりブックマークが仮登録されているか否かを判断する。
【０１２３】
ステップＳ１１において、ブックマークが仮登録されていると判断された場合、ステップＳ１２において、未解析データファイル管理部３３は、ステップＳ４の処理によりデータ用メモリ２７への記録が開始され、ステップＳ１０の処理によりデータ用メモリ２７への記録が終了された放送信号に、所定のファイル名を付けて、未解析データファイルを生成し、仮登録されたブックマークを対応付け、必要に応じて、メタデータの取得に必要となる情報（例えば、放送局や放送時間、または、受信場所など）を対応付けて、データ用メモリ２７に記録する。
【０１２４】
ステップＳ１１において、ブックマークが仮登録されていないと判断された場合、ステップＳ１３において、未解析データファイル管理部３３は、ステップＳ４の処理によりデータ用メモリ２７への記録が開始され、ステップＳ１０の処理によりデータ用メモリ２７への記録が終了された放送信号をデータ用メモリ２７から消去する。
【０１２５】
ステップＳ１２、または、ステップＳ１３の処理の終了後、ステップＳ１４において、操作入力取得部３１は、放送の受信が終了されているか否かを判断する。
【０１２６】
ステップＳ１４において、放送の受信が終了されていないと判断された場合、処理は、ステップＳ２に戻り、それ以降の処理が繰り返される。ステップＳ１４において、放送の受信が終了されたと判断された場合、処理は終了される。
【０１２７】
このような処理により、放送信号の受信と再生とともに、ユーザの操作入力を基に、ブックマークの仮登録が実行され、ブックマークの仮登録が実行された放送信号は、所定のファイル名が付けられて、未解析データファイルとされ、仮登録されたブックマーク、および、必要に応じて、メタデータの取得に必要となる情報（例えば、放送局や放送時間、または、受信場所など）が対応付けられて記録される。
【０１２８】
なお、記録された放送信号がテレビジョン放送である場合、楽曲のデータに映像データが対応付けられている未解析データファイルが生成されて、仮登録されたブックマーク、および、必要に応じて、メタデータの取得に必要となる情報（例えば、放送局や放送時間、または、受信場所など）が対応付けられて記録される。
【０１２９】
次に、図１１のフローチャートを参照して、放送受信端末１と接続される、パーソナルコンピュータ５１の処理１について説明する。
【０１３０】
ステップＳ４１において、未解析データ取得制御部１０１は、放送受信端末１と接続されたか否かを判断する。パーソナルコンピュータ５１と放送受信端末１との接続は、有線であっても無線であっても、直接接続されるものであっても、所定のネットワークを介して接続されるものであってもよい。ステップＳ４１において、放送受信端末１と接続されていないと判断された場合、放送受信端末１と接続されたと判断されるまで、ステップＳ４１の処理が繰り返される。
【０１３１】
ステップＳ４１において、放送受信端末１と接続されたと判断された場合、ステップＳ４２において、未解析データ取得制御部１０１は、放送受信端末１から必要な情報を取得する。
【０１３２】
ステップＳ４３において、未解析データ取得制御部１０１は、放送受信端末１に未処理の放送信号が記録されているか否かを判断する。すなわち、未解析データ取得制御部１０１は、図１０のステップＳ１２において、未解析データファイル管理部３３の処理により生成された未解析データファイルと、これに対応付けられているブックマークの仮登録情報と、必要に応じて、メタデータの取得に必要となる情報とが、放送受信端末１のデータ用メモリ２７に記録されているか否かを判断する。ステップＳ４３において、放送受信端末１に未処理の放送信号が記録されていないと判断された場合、処理は、後述するステップＳ５１に進む。
【０１３３】
ステップＳ４３において、放送受信端末１に未処理の放送信号が記録されていると判断された場合、ステップＳ４４において、未解析データ取得制御部１０１は、放送受信端末１から未処理データファイルおよび関連付けられて記録されている情報を取得し、取得した未処理データファイルおよび関連付けられて記録されている情報を、データ解析処理部１０２に供給する。データ解析処理部１０２は、特開２００５−２７４７０８号公報などに記載されている解析方法を用いて、未処理の放送信号を解析し、音声のテンポやスピード感などの特徴量を基に、楽曲部分と楽曲以外の部分とを分割する。
【０１３４】
ステップＳ４５において、データ解析処理部１０２は、分割されたデータのうち、ブックマークが仮登録されている楽曲データ、すなわち、ユーザがブックマークを指令した時点において再生されていた楽曲データを抽出する。
【０１３５】
ステップＳ４６において、データ解析処理部１０２は、分割されて抽出された楽曲データ、または、放送受信端末１から供給された情報を基に、ブックマークが仮登録されている楽曲データのメタデータの取得のために必要な情報（例えば、楽曲の一部、楽曲の一部の特徴量データ、楽曲が放送された放送局および放送時刻、または、放送受信地域など）を抽出し、メタデータ取得制御部１０３に供給する。メタデータ取得制御部１０３は、楽曲データに対応するメタデータを取得するための情報を、内部バス７４、入出力インターフェース７５、および、ネットワークインターフェース７７を介して、楽曲データの検索サービスを提供する所定のサーバに送信する。
【０１３６】
ステップＳ４７において、メタデータ取得制御部１０３は、ネットワークインターフェース７７により受信されたメタデータを記録部７６に供給する。
【０１３７】
ステップＳ４８において、データベース構築部１０４は、データ解析処理部１０２の解析により得られたブックマークに対応する楽曲データと、メタデータ取得制御部１０３により取得された楽曲データに対応するメタデータとを対応付けて、記録部７６に記録されているデータベースに登録する。また、楽曲のデータに映像データが対応付けられて放送受信端末１から供給された場合（放送受信端末１において受信された放送信号がテレビジョン放送である場合）、映像データが、楽曲データとともにデータベースに登録される。
【０１３８】
ステップＳ４９において、ブックマークリスト生成部１０５は、記録部７６に記録されているブックマークリストに、データベースに登録された楽曲データを登録する。ブックマークリストとは、ユーザがブックマークを付けることを指令した楽曲の一覧を示す情報であり、データベース構築部１０４により構築されたデータベースの楽曲データおよびメタデータに対するリンク情報のリストである。ステップＳ４９において、記録部７６に記録されているブックマークリストに、楽曲データが対応付けて登録されることが、パーソナルコンピュータ５１におけるブックマークの本登録である。
【０１３９】
ステップＳ５０において、データ解析処理部１０２は、解析が終了した放送信号を削除する。ステップＳ５０の処理により削除されるのは、解析されるもとの放送信号であり、分割されて抽出された楽曲データ、すなわち、データベースに登録された楽曲データは、削除されずに保持されている。
【０１４０】
ステップＳ４３において、放送受信端末１に未処理の放送信号が記録されていないと判断された場合、または、ステップＳ５０の処理の終了後、ステップＳ５１において、解析済みデータ供給制御部１０６は、放送受信端末１に記録されているブックマークリストの更新処理が行われるか否かを判断する。放送受信端末１に記録されているブックマークリストの更新処理が行われるか否かは、解析済みデータ供給制御部１０６が放送受信端末１に記録されているブックマークリストの内容を自動検出して、ブックマークリスト生成部１０５において生成された最新のブックマークリストと比較することにより、放送受信端末１に記録されているブックマークリストが最新のものと異なる場合に、自動的に行われるようにしてもよいし、ユーザによりブックマークリストの更新処理が指令された場合に、ブックマークリストの更新処理が行われるものとしてもよい。ステップＳ５１において、ブックマークリストの更新処理が行われないと判断された場合、処理が終了される。
【０１４１】
ステップＳ５１において、ブックマークリストの更新処理が行われると判断された場合、ステップＳ５２において、解析済みデータ供給制御部１０６は、ブックマークリストの更新に必要な情報を、内部バス７４、入出力インターフェース７５、および、ネットワークインターフェース７７を介して、放送受信端末１に供給し、放送受信端末１のブックマークリスト管理部３８によって管理されているブックマークリストを更新させる。ブックマークリストの更新に必要な情報は、最新のブックマークリストであってもよいし、ブックマークリストのうち、更新される部分のみの情報であってもよい。放送受信端末１においてブックマークが更新されたとき（後述する図１２のステップＳ８３の処理）、放送受信端末１においてブックマークが本登録されたものとする。
【０１４２】
ステップＳ５３において、解析済みデータ供給制御部１０６は、ブックマークリストの更新に対応するメタデータと楽曲データを、内部バス７４、入出力インターフェース７５、および、ネットワークインターフェース７７を介して、放送受信端末１に供給する。
【０１４３】
ステップＳ５４において、解析済みデータ供給制御部１０６は、放送受信端末１に対して、ブックマークリストの更新に対応する未処理の放送信号、すなわち、ブックマークリストが本登録された未解析データファイルの削除を指令し、処理が終了される。
【０１４４】
このような処理により、放送受信端末１におけるブックマークの仮登録の情報と、対応する放送信号（未解析データファイル）がパーソナルコンピュータ５１に取得され、解析処理が実行された後、メタデータが取得されて、楽曲データとメタデータによるデータベースが構築されるとともに、ブックマークが本登録されてブックマークリストが生成または更新され、最新のブックマークリスト（または、ブックマークリストの更新に必要な情報）と楽曲データおよびメタデータが、放送受信端末１に供給される。また、楽曲のデータに映像データが対応付けられて放送受信端末１から供給された場合（放送受信端末１において受信された放送信号がテレビジョン放送である場合）、映像データが、楽曲データとともにデータベースに登録され、最新のブックマークリスト（または、ブックマークリストの更新に必要な情報）と楽曲データ、映像データ、および、メタデータが、放送受信端末１に供給される。
【０１４５】
次に、図１２のフローチャートを参照して、データの解析が終了されたパーソナルコンピュータ５１と接続された放送受信端末１において実行される、データ取得およびブックマークリスト更新処理について説明する。
【０１４６】
ステップＳ８１において、データ取得制御部４１は、放送受信端末１に記録されているブックマークリストの更新処理が行われるか否かを判断する。放送受信端末１に記録されているブックマークリストの更新処理が行われるか否かは、放送受信端末１に記録されているブックマークリストの内容と、パーソナルコンピュータ５１に記録されている最新のブックマークリストとが比較され、放送受信端末１に記録されているブックマークリストが最新のものと異なる場合に自動的に行われるようにしてもよいし、ユーザによりブックマークリストの更新処理が指令された場合に、ブックマークリストの更新処理が行われるものとしてもよい。ステップＳ８１において、ブックマークリストの更新処理が行われないと判断された場合、ブックマークリストの更新処理が行われると判断されるまで、ステップＳ８１の処理が繰り返される。
【０１４７】
ステップＳ８１において、ブックマークリストの更新処理が行われると判断された場合、ステップＳ８２において、データ取得制御部４１は、パーソナルコンピュータ５１から、ブックマークリストの更新情報の供給を受け、ブックマークリスト管理部３８に供給する。ブックマークリストの更新に必要な情報は、最新のブックマークリストであってもよいし、ブックマークリストのうち、更新される部分のみの情報であってもよい。
【０１４８】
ステップＳ８３において、ブックマークリスト管理部３８は、供給された情報を基に、ブックマークリストを更新する。ここで、放送受信端末において、ブックマークが本登録される。
【０１４９】
ステップＳ８４において、データ取得制御部４１は、パーソナルコンピュータ５１から、ブックマークリストの更新に対応するメタデータと楽曲データの供給を受け、メタデータおよび楽曲データ管理部３９に供給する。
【０１５０】
ステップＳ８５において、メタデータおよび楽曲データ管理部３９は、供給されたメタデータと楽曲データとの、データ用メモリ２７への記録を制御する。
【０１５１】
ステップＳ８６において、データ取得制御部４１は、パーソナルコンピュータ５１から、ブックマークリストの更新に対応する未処理の放送信号の削除の指令（すなわち、図１１のステップＳ５４において、パーソナルコンピュータ５１が放送受信端末１に対して送出した指令）を受け、未解析データファイル管理部３３に供給する。
【０１５２】
ステップＳ８６において、未解析データファイル管理部３３は、ブックマークリストの更新に対応する未処理の放送信号を削除し、処理が終了される。
【０１５３】
なお、未処理の放送信号の削除（例えば、上述したステップＳ５４の処理、または、ステップＳ８６およびステップＳ８７の処理）は、パーソナルコンピュータ５１が放送受信端末１から必要な情報を取得した段階（例えば、ステップＳ４２の処理のあと）で行われるものとしてもよい。
【０１５４】
このような処理により、解析済みの楽曲データとメタデータがパーソナルコンピュータ５１から供給され、ブックマークが本登録されるので、放送受信端末１の表示部１１には、ユーザの操作入力に基づいて、図６を用いて説明したようにして、ブックマークの本登録が終了し、ユーザの選択に基づいて再生処理が可能な楽曲データの一覧が表示される。一覧表示画面においては、メタデータが取得されている楽曲データに関しては、メタデータに含まれる楽曲の曲名やアーティスト名が表示される。ユーザが、図６を用いて説明した再生処理が可能な楽曲データの一覧のうちの所望のデータを選択し、再生を指令した場合、ブックマークリストが参照されて、対応する楽曲のデータがデータ用メモリ２７から読み出されて、音声出力部１２により再生出力される。また、楽曲のデータに映像データが対応付けられて記録されている場合（記録された放送信号がテレビジョン放送である場合）、映像データが、表示部１１により音声出力と同期して表示される。
【０１５５】
以上の説明においては、放送受信端末１において、放送が受信されるとともに、データ用メモリ２７に記録され、ユーザの操作入力に基づいて、ブックマークの仮登録がなされた場合にのみ、対応する放送信号（未解析データファイル）がパーソナルコンピュータ５１に供給されて解析されるものとして説明したが、例えば、放送受信端末に、新たに、放送信号を一時保持するバッファを備え、ユーザの操作入力に基づいて、ブックマークの仮登録がなされた場合にのみ、対応する放送信号をデータ用メモリ２７に記録するようにしてもよい。
【０１５６】
図１３は、放送信号を一時保持するバッファを備えている放送受信端末１０１の構成を示すブロック図である。
【０１５７】
なお、図２を用いて説明した場合と対応する部分には同一の符号を付してあり、その説明は適宜省略する。
【０１５８】
すなわち、図１３の放送受信端末１０１は、コントローラ２１に代わってコントローラ１１１が設けられ、新たに、データ用バッファ１１２が設けられている以外は、基本的に、図２を用いて説明した放送受信端末１と同様の構成を有している。
【０１５９】
コントローラ１１１は、プログラム用メモリ２２に記録されているプログラムを実行することにより、放送受信端末１０１の動作を制御するものである。
【０１６０】
データ用バッファ１１２は、例えば、１０分乃至２０分程度の放送信号をバッファリングすることができる記憶容量、換言すれば、通常の楽曲を１曲バッファリングするために充分な記憶容量を有し、コントローラ１１１の制御に基づいて、再生処理部２６により再生された放送信号を一時保持（バッファリング）する。データ用バッファ１１２には、データ用メモリ２７よりも記憶容量が少なくても、駆動のための消費電力が少ないものを用いると好適である。
【０１６１】
図１４は、放送受信端末１０１のコントローラ１１１が有する機能について説明するための機能ブロック図である。図１４を参照して、放送受信端末１０１の動作について説明する。
【０１６２】
なお、図３を用いて説明した場合と対応する部分には同一の符号を付してあり、その説明は適宜省略する。
【０１６３】
すなわち、放送受信端末１０１のコントローラ１１１が有する機能は、未解析データファイル管理部２２（として説明した機能）に代わって、未解析データファイル管理部１３１が設けられ、新たに、バッファ管理部１３２が設けられている以外は、放送受信端末１のコントローラ２１が有する機能と基本的に同一である。
【０１６４】
未解析データファイル管理部１３１は、バッファ管理部１３２を制御して、放送受信および再生制御部３２の処理により受信された放送信号のデータ用バッファ１１２への記録を制御するとともに、ブックマーク設定部３５によりブックマークの仮登録が行われた場合、データ用バッファ１１２にバッファリングされた放送信号のデータ用メモリ２７への記録を制御し、記録されたデータを基に未解析データファイルを生成する。また、未解析データファイル管理部１３１は、未解析データファイル管理部３３における場合と同様に、パーソナルコンピュータ５１において実行されるメタデータの取得のために、放送局と放送時刻などの情報が用いられる場合、放送局と放送時刻などの情報を、未解析データファイルとともに記録する。なお、パーソナルコンピュータ５１において実行されるメタデータの取得のために必要な情報は、例えば、放送受信地域など、放送局と放送時刻以外の情報である場合もあり、未解析データファイル管理部１３１は、必要に応じて、パーソナルコンピュータ５１において実行されるメタデータの取得のために必要な情報を取得する。
【０１６５】
バッファ管理部１３２は、未解析データファイル管理部１３１に従って、放送受信および再生制御部３２の処理により受信された放送信号のデータ用バッファ１１２へのバッファリングおよびバッファリングされた放送信号のデータ用メモリ２７への供給、または、削除を管理する。
【０１６６】
放送受信端末１０１は、上述した放送受信端末１と同様にして、放送を受信し、ユーザの操作入力を基に、ブックマークの仮登録を行い、上述したパーソナルコンピュータ５１と接続され、未解析データファイルと、そのブックマークの仮登録情報などの関連情報をパーソナルコンピュータ５１に供給する。
【０１６７】
次に、図１５のフローチャートを参照して、放送受信端末１０１において実行される、放送受信および記録処理２について説明する。
【０１６８】
ステップＳ１１１乃至ステップＳ１１３において、図１０のステップＳ１乃至ステップＳ３と同様の処理が実行される。
【０１６９】
すなわち、ユーザにより、放送の受信開始が指令されたか否かが判断され、放送の受信開始が指令されたと判断された場合、受信周波数または受信チャンネルが決定され、チューナ２５が制御されて、アンテナ２４により受信される放送信号が選局（チューニング）され、放送の受信が開始される。
【０１７０】
ステップＳ１１４において、未解析データファイル管理部１３１およびバッファ管理部１３２は、受信した放送のデータ用バッファ１１２への記録を開始する。このとき、ブックマーク設定部３５は、タイマ３６を制御して、相対時刻のカウントを開始させる。
【０１７１】
ステップＳ１１５乃至ステップＳ１１７において、図１０のステップＳ５乃至ステップＳ７と同様の処理が実行される。
【０１７２】
すなわち、図４を用いて説明したような、現在受信中の放送の再生が行われていることをユーザに通知するためのＧＵＩ表示画面が表示部１１に表示され、再生処理部２６が制御されて、受信した放送が、音声出力部１２と、必要に応じて表示部１１から再生出力され、ユーザにより、ブックマークの指示を受けたか否かが判断される。
【０１７３】
ステップＳ１１７において、ブックマークの指示を受けたと判断された場合、ステップＳ１１８において、未解析データファイル管理部１３１およびバッファ管理部１３２は、受信した放送信号は、現在、データ用バッファ１１２へバッファリングされているか否かを判断する。
【０１７４】
ステップＳ１１８において、放送信号は、現在、データ用バッファ１１２へバッファリングされていると判断された場合、ステップＳ１１９において、未解析データファイル管理部１３１およびバッファ管理部１３２は、データ用バッファ１１２にバッファリングされているデータをデータ用メモリ２７に供給して記録させるとともに、この後、例えば、５分や１０分など、楽曲１曲分を充分含むと思われる所定の時間は、受信した放送信号をデータ用メモリ２７に続けて記録する。所定の時間の終了後、受信した放送信号は、再び、データ用バッファ１１２に供給されて、バッファリングが開始される。
【０１７５】
ステップＳ１１８において、放送信号は、現在、データ用バッファ１１２へバッファリングされていない、すなわち、放送信号は、現在、データ用メモリ２７に供給されて記録されていると判断された場合、ステップＳ１２０において、未解析データファイル管理部１３１は、この後、例えば、５分や１０分など、楽曲１曲分を充分含むと思われる所定の時間は、受信した放送信号をデータ用メモリ２７に続けて記録する。所定の時間の終了後、受信した放送信号は、再び、データ用バッファ１１２に供給されて、バッファリングが開始される。
【０１７６】
ステップＳ１１９またはステップＳ１２０の処理の終了後、ステップＳ１２１およびステップＳ１２２において、図１０のステップＳ８およびステップＳ９と同様の処理が実行される。
【０１７７】
すなわち、タイマ３６が参照されて、ブックマークが指示された相対的な時刻が、記録中の放送信号と対応付けて記録され、ユーザにより、放送の受信終了、もしくは、周波数またはチャンネルの変更が指令されたか否かが判断される。ステップＳ１２２において、放送の受信終了、もしくは、周波数またはチャンネルの変更が指令されていないと判断された場合、処理は、ステップＳ１１７に戻り、それ以降の処理が繰り返される。
【０１７８】
ステップＳ１２２において、放送の受信終了、もしくは、周波数またはチャンネルの変更が指令されたと判断された場合、ステップＳ１２３において、放送受信および再生制御部３２は、再生処理部２６を制御し、受信した放送の再生出力を終了する。そして、未解析データファイル管理部３３およびバッファ管理部１３２は、受信した放送のデータ用メモリ２７への記録またはデータ用バッファ１１２へのバッファリングを終了する。
【０１７９】
ステップＳ１２４において、未解析データファイル管理部３３は、データ用メモリ２７へ記録された放送信号に対して、ブックマーク設定部３５によりブックマークが仮登録されているか否かを判断する。
【０１８０】
ステップＳ１２４において、ブックマークが仮登録されていると判断された場合、ステップＳ１２５において、未解析データファイル管理部３３は、ステップＳ１１９の処理によりデータ用メモリ２７への記録が開始され、所定の時間の経過により、または、ステップＳ１２３の処理によりデータ用メモリ２７への記録が終了された放送信号に、所定のファイル名を付けて、未解析データファイルを生成し、仮登録されたブックマークを対応付け、必要に応じて、メタデータの取得に必要となる情報（例えば、放送局や放送時間、または、受信場所など）を対応付けて記録する。
【０１８１】
ステップＳ１２４において、ブックマークが仮登録されていないと判断された場合、ステップＳ１２６において、バッファ管理部１３２は、データ用バッファ１１２へバッファリングされた放送信号を消去する。
【０１８２】
ステップＳ１２５、または、ステップＳ１２６の処理の終了後、ステップＳ１２７において、操作入力取得部３１は、放送の受信が終了されているか否かを判断する。
【０１８３】
ステップＳ１２７において、放送の受信が終了されていないと判断された場合、処理は、ステップＳ１１２に戻り、それ以降の処理が繰り返される。ステップＳ１２７において、放送の受信が終了されたと判断された場合、処理は終了される。
【０１８４】
このような処理により、放送信号が受信されて再生されるとともにバッファリングされ、ユーザの操作入力を基に、ブックマークの仮登録が実行されて、バッファリングされたデータおよびブックマークの仮登録から所定の時間だけ後までの受信信号が記録され、ブックマークの仮登録が実行された放送信号は、所定のファイル名が付けられて、未解析データファイルとされ、仮登録されたブックマーク、および、必要に応じて、メタデータの取得に必要となる情報（例えば、放送局や放送時間、または、受信場所など）が対応付けられて記録される。
【０１８５】
すなわち、放送受信端末１０１においては、放送信号がすべてデータ用メモリ２７に記録されるのではなく、ブックマークの仮登録が行われたもののみがデータ用メモリ２７に記録される。データ用メモリ２７は、データ用バッファ１１２と比較して大容量であり、駆動するために必要な消費電力が高いことから、放送受信端末１０１は、放送受信端末１と比較して、消費電力を低減することが可能となる。また、ブックマークの仮登録が行われたデータのみがデータ用メモリ２７に記録されるので、記憶容量の小さいデータ用メモリ２７を使用している放送受信端末１０１においても有効である。
【０１８６】
そして、放送受信端末１０１において記録された未解析データファイル、並びに、仮登録されたブックマーク、および、必要に応じて、メタデータの取得に必要となる情報（例えば、放送局や放送時間、または、受信場所など）は、図１１を用いて説明した処理と同様にして、パーソナルコンピュータ５１で解析され、メタデータが取得される。そして、解析後の楽曲データおよびメタデータ、並びに、最新のブックマークリストは、図１２を用いて説明した処理と同様にして、パーソナルコンピュータ５１から放送受信端末１０１に供給されて記録される。
【０１８７】
以上説明した処理においては、放送受信端末１または放送受信端末１０１において放送信号が取得され、パーソナルコンピュータ５１で解析され、メタデータが取得された。これに対して、放送信号の取得、解析、メタデータの取得を、１つの装置で行うようにしてもよい。
【０１８８】
図１６は、本発明を適用したパーソナルコンピュータ１５１の構成を示すブロック図である。パーソナルコンピュータ１５１においては、放送信号の取得、解析、メタデータの取得のすべてが実行される。
【０１８９】
なお、図８を用いて説明した場合と対応する部分には同一の符号を付してあり、その説明は適宜省略する。また、パーソナルコンピュータ１５１の外形は、基本的に、図７を用いて説明した場合と同様であるので、図示は省略する。
【０１９０】
すなわち、図１６のパーソナルコンピュータ１５１は、ＣＰＵ７１に代わってＣＰＵ１７１が設けられ、新たに、放送受信端末１または放送受信端末１０１に設けられていたものと同様の再生処理部２６が設けられて内部バス７４に接続され、放送受信端末１または放送受信端末１０１に設けられていたものと同様のアンテナ２４およびチューナ２５が設けられて、入出力インターフェース７５に接続されている以外は、基本的に、図８を用いて説明したパーソナルコンピュータ５１と同様の構成を有している。
【０１９１】
CPU（Central Processing Unit）１７１は、ROM（Read Only Memory）７２に記録されているプログラム、またはＨＤＤ（Hard Disc Drive）などにより構成される記録部７６から、RAM（Random Access Memory）７３にロードされたプログラムに従って各種の処理を実行する。
【０１９２】
アンテナ２４は、ラジオまたはテレビジョンなどの放送波を受信する。
【０１９３】
チューナ２５は、アンテナ２４により受信されたラジオまたはテレビジョンなどの放送波を、ＣＰＵ１７１の制御に基づいて選局する。
【０１９４】
再生処理部２６は、ＣＰＵ１７１の制御に基づいて、チューナ２５により選局されて受信された放送波の再生を行う。具体的には、再生処理部２６は、受信信号を復調し、必要に応じてデスクランブル処理などを施したり、復号処理を施して、放送信号を再生する。
【０１９５】
図１７は、パーソナルコンピュータ１５１のＣＰＵ１７１において、放送を受信し、受信したデータを解析し、メタデータを取得してデータベースを構築するとともにブックマークリストを生成するためのアプリケーションが実行された場合の機能ブロック図である。
【０１９６】
なお、図３および図９を用いて説明した場合と対応する部分には同一の符号を付してあり、その説明は適宜省略する。
【０１９７】
すなわち、パーソナルコンピュータ１５１において、放送を受信し、受信したデータを解析し、メタデータを取得してデータベースを構築するとともにブックマークリストを生成するためのアプリケーションが実行されるようになされている場合に、ＣＰＵ１７１が有する機能は、図３を用いて説明した、操作入力取得部３１、放送受信および再生制御部３２、未解析データファイル管理部３３、ＧＵＩ表示制御部３４、ブックマーク設定部３５、タイマ３６、および、楽曲データ再生制御部４０、並びに、図９を用いて説明した、データ解析処理部１０２、メタデータ取得制御部１０３、データベース構築部１０４、および、ブックマークリスト生成部１０５の機能と基本的に同様である。
【０１９８】
これらの機能を用いた具体的な動作について以下に説明する。
【０１９９】
ユーザが放送の受信開始を指令すると、放送受信および再生制御部３２は、チューナ２５を制御して、前の操作の終了時に受信していた放送局、または、操作入力取得部３１により取得されたユーザの操作入力に基づいた所定の放送局を選局させて、アンテナ２４により受信される放送波を再生処理部２６に供給させて、復調などを行わせる。受信したのがラジオ放送である場合、放送受信および再生制御部３２は、再生された音声を出力部６１のスピーカ６１−２に供給して音声出力させ、未解析データファイル管理部３３は、再生された音声を記録部７６に供給して記録させる。
【０２００】
そして、ＧＵＩ表示制御部３４は、例えば、図４に示されるように、出力部６１の表示部６１−１に、音声出力中のラジオ放送に関する情報を表示させる。また、受信したのがテレビジョン放送である場合、放送受信および再生制御部３２は、再生された音声を出力部６１のスピーカ６１−２に供給して音声出力させ、再生した映像を出力部６１の表示部６１−１に出力して表示させ、未解析データファイル管理部３３は、再生された音声および映像を、記録部７６に供給して記録させる。ＧＵＩ表示制御部３４は、例えば、図４を用いて説明した場合と同様に、出力部６１の表示部６１−１に表示されている映像の妨げにならないように、出力中のテレビジョン放送に関する情報を表示させる。ブックマーク設定部３５は、タイマ３６を制御し、記録部７６への放送信号の記録が開始されたときからの経過時間のカウントを開始させる。
【０２０１】
また、操作入力取得部３１が、現在受信中の放送信号で記録部７６に記録されている部分に関して、巻き戻し、早送り、一時停止などの指令を受けた場合、放送受信および再生制御部３２は、ユーザの操作入力に基づいて、記録部７６に記録されている放送信号を読み出して、出力部６１の表示部６１−１、または、出力部６１のスピーカ６１−２に供給する。そして、未解析データファイル管理部３３は、リアルタイムで受信されている放送信号を、継続して、記録部７６に供給して保存させる。
【０２０２】
操作入力取得部３１が、入力部６２から、Bookmark（ブックマーク）を指令する操作入力を受けた場合、ブックマーク設定部３５は、タイマ３６を参照し、ブックマークの操作入力を受けた時点の、放送受信開始を基準とした相対的な時刻情報を記録する（ブックマークの仮登録）。
【０２０３】
このとき、ＧＵＩ表示制御部３４は、出力部６１の表示部６１−１に、例えば、図５に示されるように、ブックマークの指令を受け付けたことをユーザに通知するためのメッセージを表示させる。
【０２０４】
操作入力取得部３１が、入力部６２から、チューニング（放送局、チャンネル）の変更、または、放送受信の終了を指令する操作入力を受けた場合、未解析データファイル管理部３３は、記録部７６に記録されている放送信号に、放送受信開始を基準とした相対的な時刻情報が対応付けられて記録されて（ブックマークが仮登録されて）いれば、記録されている放送信号に対して、例えば、ファイル生成の時刻、または、受信した放送局名などを用いて固有のファイル名をつけ、未解析のデータファイルとして、ブックマーク設定部３５により記録されたブックマークの相対的な時刻情報を対応付けて記録部７６に保存（ブックマークの仮登録）する。ブックマークの相対的な時刻情報（ブックマークの仮登録情報）は１つのファイルに複数対応付けられていてもよい。
【０２０５】
また、未解析データファイル管理部３３は、後述するパーソナルコンピュータにおいて実行されるメタデータの取得のために必要な情報（例えば、放送局と放送時刻などの情報）を取得し、未解析データファイルとともに記録する。
【０２０６】
未解析データファイル管理部３３は、チューニング（放送局、チャンネル）の変更、または、放送受信の終了を指令する操作入力を受けるたびに、ひとつ以上のブックマークが仮登録されているか否かを判断して、１つ以上のブックマークが仮登録されている放送信号に関して、未解析データファイルを生成する。すなわち、未解析データファイル管理部３３は、複数の未解析データファイルを生成する場合がある。
【０２０７】
そして、データ解析処理部１０２は、未解析データファイル管理部３３により管理されている、録音または録画の未解析データファイルと、これらのファイルに対応付けられているブックマークの仮登録情報と、必要に応じて、放送局と放送時刻などの情報とを、記録部７６から読み出す。データ解析処理部１０２は、記録部７６から読み出された、まだ解析されていない録音または録画のファイルを解析し、例えば、特開２００５−２７４７０８号公報などに記載されている解析方法を用いて、音声のテンポやスピード感などの特徴量を基に、楽曲の部分と、アナウンサの会話などの楽曲以外の部分とを区別して、楽曲の部分のみを抽出する。また、データ解析処理部１０２は、メタデータの取得に必要な情報の抽出または解析も実行し、メタデータの取得に必要な情報を、メタデータ取得制御部１０３に供給する。
【０２０８】
例えば、楽曲データの一部を、検索サービスを行う所定のサーバに送出することによりメタデータが取得されるようになされている場合、データ解析処理部１０２は、所定のサーバに送信する楽曲の一部を抽出する。また、データ解析処理部１０２は、検索処理に用いる楽曲の特徴量を抽出して、メタデータ取得制御部１０３に供給し、所定のサーバに、抽出された楽曲の特徴量を送出させて、メタデータを得るようにしてもよい。さらに、メタデータの取得のために、放送局と放送時刻などの情報が用いられる場合、データ解析処理部１０２は、例えば、放送局と放送時刻などの情報を取得する。
【０２０９】
メタデータ取得制御部１０３は、例えば、楽曲の一部、または、検索処理に用いる楽曲の特徴量を、内部バス７４、入出力インターフェース７５、および、ネットワークインターフェース７７を介して、楽曲データの一部を基に検索サービスを提供する所定のサーバに供給するとともに、ネットワークインターフェース７７により受信されたメタデータを記録部７６に供給する。また、メタデータ取得制御部１０３は、例えば、放送局と放送時刻などの情報を、内部バス７４、入出力インターフェース７５、および、ネットワークインターフェース７７を介して、放送局と放送時刻などの情報を基に検索サービスを提供する所定のサーバに供給するとともに、ネットワークインターフェース７７により受信されたメタデータを記録部７６に供給する。
【０２１０】
データベース構築部１０４は、データ解析処理部１０２の解析により得られた、ブックマークされた楽曲データと、メタデータ取得制御部１０３により取得された楽曲データに対応するメタデータとを対応付けて記録部７６に記録させ、楽曲のデータベースを構築する。
【０２１１】
ブックマークリスト生成部１０５は、データベース構築部１０４により構築されるデータベースとユーザによるブックマークとの対応関係を示す情報であるブックマークリストを生成し、内部バス７４、入出力インターフェース７５を介して、記録部７６に供給して記録させる（ブックマークを本登録する）。
【０２１２】
そして、ＧＵＩ表示制御部３４は、ユーザの操作入力に基づいて、記録部７６に記録されているブックマークリストを基に、図６を用いて説明したようにして、ブックマークの本登録が終了し、ユーザの選択に基づいて再生処理が可能な楽曲データの一覧を、出力部６１の表示部６１−１に表示させる。メタデータが取得されている楽曲データに関しては、メタデータに含まれる楽曲の曲名やアーティスト名が表示される。ユーザが、図６を用いて説明した再生処理が可能な楽曲データの一覧のうちの所望のデータを選択し、再生を指令した場合、楽曲データ再生制御部４０により、ブックマークリスト生成部１０５により生成されたブックマークリストが参照されて、対応する楽曲のデータが、データベース構築部１０４により、記録部７６から読み出されて、出力部６１のスピーカ６１−２より再生出力される。また、楽曲のデータに映像データが対応付けられて記録されている場合（記録された放送信号がテレビジョン放送である場合）、映像データが、出力部６１の表示部６１−１に音声出力と同期して表示される。
【０２１３】
なお、パーソナルコンピュータ１５１においては、放送信号を一時保持するバッファを設けていない構成であるものとして説明するが、パーソナルコンピュータ１５１は、例えば、図１３を用いて説明した放送受信端末１０１のデータ用バッファ１１２と同様のバッファを備え、受信した放送信号を一時保持し、ユーザによりブックマークの仮登録を受けた場合に、バッファリングされた放送信号およびそれ以降、所定の時間に受信された放送信号を、記録部７６に供給して記録させるようにしてもよい。
【０２１４】
次に、図１８および図１９のフローチャートを参照して、パーソナルコンピュータ１５１が実行する処理について説明する。
【０２１５】
ステップＳ１５１乃至ステップＳ１６０において、図１０を用いて説明したステップＳ１乃至ステップＳ１０と同様の処理が実行される。
【０２１６】
すなわち、図１７を用いて説明した（以下同様）操作入力取得部３１において、ユーザにより、放送の受信開始が指令されたと判断された場合、放送受信および再生制御部３２は、受信周波数または受信チャンネルを決定し、チューナ２５を制御して、アンテナ２４により受信される放送信号を選局（チューニング）し、アンテナ２４およびチューナ２５を制御して、放送の受信を開始する。
【０２１７】
未解析データファイル管理部３３は、受信した放送の記録部７６への記録を開始する。このとき、ブックマーク設定部３５は、タイマ３６を制御して、相対時刻のカウントを開始させる。
【０２１８】
ＧＵＩ表示制御部３４は、例えば、図４を用いて説明したような、現在受信中の放送の再生が行われていることをユーザに通知するためのＧＵＩ表示画面を出力部６１の表示部６１−１に表示させる。放送受信および再生制御部３２は、再生処理部２６を制御し、受信した放送を、出力部６１のスピーカ６１−２と、必要に応じて出力部６１の表示部６１−１から再生出力させる。
【０２１９】
そして、ユーザにより、ブックマークの指示を受けたと判断された場合、ブックマーク設定部３５は、タイマ３６を参照して、ブックマークが指示された相対的な時刻を、記録中の放送信号と対応付けて記録する。
【０２２０】
そして、放送の受信終了、もしくは、周波数またはチャンネルの変更が指令されていないと判断された場合、処理は、ステップＳ１５７に戻り、それ以降の処理が繰り返され、放送の受信終了、もしくは、周波数またはチャンネルの変更が指令されたと判断された場合、放送受信および再生制御部３２は、再生処理部２６を制御し、受信した放送の再生出力を終了し、未解析データファイル管理部３３は、受信した放送の記録部７６への記録を終了する。
【０２２１】
そして、ステップＳ１６１において、未解析データファイル管理部３３は、記録部７６へ記録された放送信号に対して、ブックマーク設定部３５によりブックマークが仮登録されているか否かを判断する。
【０２２２】
ステップＳ１６１において、ブックマークが仮登録されていないと判断された場合、ステップＳ１６２において、未解析データファイル管理部３３は、記録部７６へ記録された放送信号を消去する。
【０２２３】
ステップＳ１６１において、ブックマークが仮登録されていると判断された場合、または、ステップＳ１６２の処理の終了後、ステップＳ１６３において、操作入力取得部３１は、放送の受信が終了されているか否かを判断する。
【０２２４】
ステップＳ１６３において、放送の受信が終了されていないと判断された場合、処理は、ステップＳ１５２に戻り、それ以降の処理が繰り返される。ステップＳ１６３において、放送の受信が終了されたと判断された場合、ステップＳ１６４において、操作入力取得部３１は、解析処理の開始が指令されたか否かを判断する。
【０２２５】
ステップＳ１６４において、解析処理の開始が指令されていないと判断された場合、処理は、ステップＳ１５１に戻り、それ以降の処理が繰り返される。
【０２２６】
ステップＳ１６４において、解析処理の開始が指令されたと判断された場合、ステップＳ１６５において、データ解析処理部１０２は、記録部７６に未処理の放送信号が記録されているか否かを判断する。ステップＳ１６５において、未処理の放送信号が記録されていないと判断された場合、処理が終了される。
【０２２７】
ステップＳ１６５において、未処理の放送信号が記録されていると判断された場合、ステップＳ１６６において、データ解析処理部１０２は、特開２００５−２７４７０８号公報などに記載されている解析方法を用いて、未処理の放送信号を解析し、楽曲部分と楽曲以外の部分とを分割する。
【０２２８】
そして、ステップＳ１６７乃至ステップＳ１７２において、図１１のステップＳ４５乃至ステップＳ５０と基本的に同様の処理が実行される。
【０２２９】
すなわち、データ解析処理部１０２は、分割されたデータのうち、ブックマークが仮登録されている楽曲データ、すなわち、ユーザがブックマークを指令した時点において再生されていた楽曲データを抽出し、分割されて抽出された楽曲データ、または、ブックマークが仮登録されている楽曲データのメタデータの取得のために必要な情報（例えば、楽曲の一部、楽曲の一部の特徴量データ、楽曲が放送された放送局および放送時刻、または、放送受信地域など）を抽出し、メタデータ取得制御部１０３に供給する。
【０２３０】
メタデータ取得制御部１０３は、楽曲データに対応するメタデータを取得するための情報を、内部バス７４、入出力インターフェース７５、および、ネットワークインターフェース７７を介して、楽曲データの一部を基に検索サービスを提供する所定のサーバに送信するとともに、ネットワークインターフェース７７により受信されたメタデータを、記録部７６に供給する。
【０２３１】
そして、データベース構築部１０４は、データ解析処理部１０２の解析により得られた楽曲データと、メタデータ取得制御部１０３により取得された楽曲データに対応するメタデータとを対応付けて、記録部７６に記録されているデータベースに登録する。また、受信された放送信号がテレビジョン放送である場合、映像データが、楽曲データとともにデータベースに登録される。
【０２３２】
そして、ブックマークリスト生成部１０５は、記録部７６に記録されているブックマークリストに、データベースに登録された楽曲データを登録する（ブックマークの本登録）し、データ解析処理部１０２は、解析が終了した放送信号を削除して処理が終了される。
【０２３３】
このような処理により、パーソナルコンピュータ１５１のみで、放送を受信し、受信したデータを解析し、メタデータを取得してデータベースを構築するとともにブックマークリストを生成することができる。
【０２３４】
以上説明したように、本発明を適用することにより、放送を受信し、ユーザが設定したブックマークを基に、受信したデータを解析してユーザがブックマークを設定した楽曲データを抽出し、抽出された楽曲に対応するメタデータを取得してデータベースを構築するとともに、ブックマークリストを生成することができるので、ユーザが放送を視聴して気に入った楽曲（ブックマークが指令されたときに再生されていた楽曲）を気軽に蓄積することができ、さらに、その楽曲のメタデータを取得して、自動的にデータベース化し、再生して楽しむことが可能となる。
【０２３５】
本発明を適用することにより、ユーザが蓄積する楽曲データは、例えば、コンテンツの提供サービスなどから配布される楽曲データではなく、放送された楽曲データである。そして、その楽曲データに関するメタデータが取得され、楽曲データとメタデータがデータベース化されるとともに、楽曲データとメタデータに対するリンク情報であるブックマークリストが生成される。ユーザは、ブックマークリストを参照して、所望の楽曲を選択することにより、放送中（または、いわゆる追いかけ再生中など）に気に入った楽曲を再生して楽しむことができる。
【０２３６】
また、放送信号が、例えば、テレビジョン放送などのように、音声のみではなく映像も伴われている場合、楽曲データに伴って、映像も蓄積するようにすることにより、ユーザは、容易に、「お気に入りのミュージッククリップ」を蓄積することが可能となる。
【０２３７】
なお、本発明は、少なくとも音声データを含む情報を取得することができれば適用することが可能であり、例えば、有線の接続により、有線放送や、ケーブルテレビジョンの番組を取得したり、インターネットを介して提供される各種コンテンツのデータを取得することができるよう名場合においても、適用することが可能である。
【０２３８】
なお、本実施の形態においては、２つの装置、または、１つの装置を用いて、放送を受信し、ユーザが設定したブックマークを基に、受信したデータを解析し、メタデータを取得してデータベースを構築するとともにブックマークリストを生成するものとして説明したが、これらの装置が有する機能をさらに分割して、さらに多数の装置で同様の機能を実現したり、または、他の機能を有する装置において、本発明を適用した処理を実現させるようにすることも可能であることはいうまでもない。
【０２３９】
上述した一連の処理は、ソフトウェアにより実行することもできる。そのソフトウェアは、そのソフトウェアを構成するプログラムが、専用のハードウェアに組み込まれているコンピュータにより、または、各種のプログラムをコンピュータにインストールすることにより、各種の機能を実行することが可能であり、例えば汎用のパーソナルコンピュータなどに、記録媒体からインストールされても良いし、インターネットを介してサーバからダウンロードすることでインストールされても良い。
【０２４０】
この記録媒体は、図８または図１６に示すように、コンピュータとは別に、ユーザにプログラムを提供するために配布される、プログラムが記録されている磁気ディスク８１（フレキシブルディスクを含む）、光ディスク８２（CD-ROM（Compact Disk-Read Only Memory），DVD（Digital Versatile Disk）を含む）、光磁気ディスク８３（ＭＤ(Mini-Disk)（商標）を含む）、もしくは半導体メモリ８４などよりなるパッケージメディアなどにより構成される。
【０２４１】
また、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２４２】
なお、本明細書において、システムとは、複数の装置により構成される装置全体を表すものである。
【０２４３】
なお、本発明の実施の形態は、上述した実施の形態に限定されるものではなく、本発明の要旨を逸脱しない範囲において種々の変更が可能である。
【図面の簡単な説明】
【０２４４】
【図１】本発明を適用した放送受信端末の外形を示す図である。
【図２】図１の放送受信端末の構成を示すブロック図である。
【図３】図２のコントローラの機能について説明するための機能ブロック図である。
【図４】表示画面について説明するための図である。
【図５】表示画面について説明するための図である。
【図６】表示画面について説明するための図である。
【図７】本発明を適用したパーソナルコンピュータの外形を示す図である。
【図８】図７のパーソナルコンピュータの構成を示すブロック図である
【図９】図８のＣＰＵの機能について説明するための機能ブロック図である。
【図１０】放送受信端末の放送受信および記録処理１について説明するためのフローチャートである。
【図１１】パーソナルコンピュータの処理１について説明するためのフローチャートである。
【図１２】データ取得およびブックマークリスト更新処理について説明するためのフローチャートである。
【図１３】放送受信端末の異なる構成例を示すブロック図である。
【図１４】図１３のコントローラの機能について説明するための機能ブロック図である。
【図１５】放送受信端末の放送受信および記録処理２について説明するためのフローチャートである。
【図１６】パーソナルコンピュータの異なる構成例を示すブロック図である。
【図１７】図１６のＣＰＵの機能について説明するための機能ブロック図である。
【図１８】パーソナルコンピュータの処理２について説明するためのフローチャートである。
【図１９】パーソナルコンピュータの処理２について説明するためのフローチャートである。
【符号の説明】
【０２４５】
１  放送受信端末，  １１  表示部，  １２  音声出力部，  １３  操作入力部，  ２１  コントローラ，  ２７  データ用メモリ，  ２８  通信インターフェース，  ３１  操作入力取得部，  ３２  放送受信および再生制御部，  ３３  未解析データファイル管理部，  ３４  ＧＵＩ表示制御部，  ３５  ブックマーク設定部，  ３７  未解析データ出力制御部，  ３８  ブックマークリスト管理部，  ３９  メタデータおよび楽曲データ管理部，  ４０  楽曲データ再生制御部，  ５１  パーソナルコンピュータ，  ６１  出力部，  ６２  入力部，  ７１  ＣＰＵ  ７６  記録部，  ７７  ネットワークインターフェース，  １０１  未解析データ取得制御部，  １０２  データ解析処理部，  １０３  メタデータ取得制御部，  １０４  データベース構築部，  １０５  ブックマークリスト生成部，  １０６  解析済みデータ供給制御部，  １１１  コントローラ，  １１２  データ用バッファ，  １３１  未解析データファイル管理部，  １３７  バッファ管理部，  １５１  パーソナルコンピュータ，  １７１  ＣＰＵ
【図１】
0004432877.tif 000002
【図２】
0004432877.tif 000003
【図３】
0004432877.tif 000004
【図４】
0004432877.tif 000005
【図５】
0004432877.tif 000006
【図６】
0004432877.tif 000007
【図７】
0004432877.tif 000008
【図８】
0004432877.tif 000009
【図９】
0004432877.tif 000010
【図１０】
0004432877.tif 000011
【図１１】
0004432877.tif 000012
【図１２】
0004432877.tif 000013
【図１３】
0004432877.tif 000014
【図１４】
0004432877.tif 000015
【図１５】
0004432877.tif 000016
【図１６】
0004432877.tif 000017
【図１７】
0004432877.tif 000018
【図１８】
0004432877.tif 000019
【図１９】
0004432877.tif 000020